(57)【要約】【課題】入射面側に並べて配置された各光源からの光を、入射面から導光部材内に取り込み出射面へと導いて発光させる際に、導光部材内に取り込まれた各光源からの光が出射面において混じり合うことを抑制することが可能な遊技機を提供する。【解決手段】入射面３５１および出射面３５２を有する第１導光レンズ３５０と、入射面３５０と対向するように並んで配置された複数のＬＥＤ３２２ａ〜３２２ｆとを有し、各ＬＥＤ３２２ａ〜３２２ｆからの光を入射面３５１から第１導光レンズ３５０の内部に取り込み、取り込んだ光を第１導光レンズ３５０により出射面３５２に導いて発光させる。第１導光レンズ３５０は、入射面３５１から出射面３５２側に延びる所定の長さの区画溝３５３ａ〜３５３ｅを、隣り合うＬＥＤ同士の間の位置に有する。【選択図】図３３
2020081384.tif 000002
【特許請求の範囲】
【請求項１】
入射面および出射面を有する導光部材と、前記入射面と対向するように並んで配置された複数の光源とを有し、前記複数の光源からの各光を前記入射面から前記導光部材の内部に取り込み、取り込んだ光を前記導光部材により前記出射面に導いて発光させる発光装置を備える遊技機であって、
前記導光部材は、前記入射面から前記出射面側に延びる所定の長さの溝部を、隣り合う前記光源同士の間の位置に有することを特徴とする遊技機。
【発明の詳細な説明】
【技術分野】
【０００１】
本発明は、スロットマシン等の遊技機に関する。
【背景技術】
【０００２】
遊技機の一種であるスロットマシンは、リールを回転させるリールユニットと、リールユニットの作動制御を行う主制御装置と、遊技の結果に応じてメダルを払い出す払出装置と、これらを収容する箱状の本体筐体と、本体筐体の前面開口部を開閉可能な前扉とを備えて構成されている。また、前扉には、電飾装置やスピーカー等の演出装置と、所定の演出画像を表示可能な画像表示装置と、演出装置および画像表示装置等の制御を行う副制御装置とが取り付けられている。従来、導光部材の入射面側に複数の光源を並べて配置し、各光源からの光を入射面から導光部材内に取り込み、拡散させて出射面から出射させるように構成された遊技機が知られている（例えば、特許文献１を参照）。
【先行技術文献】
【特許文献】
【０００３】
【特許文献１】特開２０１８−４７０１４号公報
【発明の概要】
【発明が解決しようとする課題】
【０００４】
導光部材の入射面側に並べて配置された各光源からの光を、入射面から導光部材内に取り込み出射面へと導いて発光させる際に、導光部材内に取り込まれた各光源からの光が出射面において混じり合い、出射面における発光演出を良好に行うことができない可能性があった。
【０００５】
本発明は、このような課題に鑑みてなされたものであり、導光部材の出射面において各光源からの光が混じり合うことを抑制することが可能な遊技機を提供することを目的とする。
【課題を解決するための手段】
【０００６】
このような目的達成のため、本発明に係る遊技機（例えば、実施形態におけるスロットマシン１）は、入射面および出射面を有する導光部材（例えば、実施形態における第１導光レンズ３５０および第２導光レンズ３６０）と、前記入射面と対向するように並んで配置された複数の光源（例えば、実施形態におけるＬＥＤ３２２ａ〜３２２ｆ，３２３ａ〜３２３ｆ）とを有し、前記複数の光源からの各光を前記入射面から前記導光部材の内部に取り込み、取り込んだ光を前記導光部材により前記出射面に導いて発光させる発光装置（例えば、実施形態における上部スピーカーランプ装置３００Ｌ，３００Ｒ）を備える遊技機であって、前記導光部材は、前記入射面から前記出射面側に延びる所定の長さの溝部（例えば、実施形態における区画溝３６３ａ〜３６３ｅ，３６３ａ〜３６３ｅ）を、隣り合う前記光源同士の間の位置に有する。
【発明の効果】
【０００７】
上記構成の遊技機によれば、導光部材の出射面において各光源からの光が混じり合うことを抑制することができる。
【図面の簡単な説明】
【０００８】
【図１】スロットマシンの正面図である。
【図２】スロットマシンの斜視図である。
【図３】スロットマシンの前扉を後方から見た図である。
【図４】スロットマシンの内部構造を示す正面図である。
【図５】スロットマシンの前扉を開いた状態の斜視図である。
【図６】（Ａ）はリールユニットを前上方から見た斜視図であり、（Ｂ）はリールユニットを前下方から見た斜視図である。
【図７】リールユニットを前方から見た分解斜視図である。
【図８】リールユニットを後方から見た分解斜視図である。
【図９】リールケースの要部拡大斜視図である。
【図１０】リールモジュールを前方から見た斜視図である。
【図１１】リールモジュールを後方から見た斜視図である。
【図１２】リールモジュールの側面図である。
【図１３】リールモジュールを前方から見た分解斜視図である。
【図１４】リールモジュールを後方から見た分解斜視図である。
【図１５】リールモジュールの要部拡大断面図である。
【図１６】リールガードの着脱時の状態を示すリールユニットの正面図である。
【図１７】（Ａ）はリールガードを前方から見た斜視図であり、（Ｂ）はリールガードを後方から見た斜視図であり、（Ｃ）はリールガードの側面図である。
【図１８】（Ａ）はリールモジュールの前上部を前方から見た斜視図であり、（Ｂ）はリールモジュールの前上部を後方から見た斜視図である。
【図１９】（Ａ）はリールモジュールの後上部を前方から見た斜視図であり、（Ｂ）はリールモジュールの後上部を後方から見た斜視図である。
【図２０】リールモジュールがリールケースから取り外された状態を示す拡大断面図である。
【図２１】リールモジュールがリールケースに取り付けられた状態を示す拡大断面図である。
【図２２】スロットマシンの内部構造を示す要部断面図である。
【図２３】リールケースの係合突起部とリールベースの後側固定部との係合状態を示す拡大斜視図である。
【図２４】（Ａ）はリールケースにおける係合突起部の斜視図であり、（Ｂ）はリールケースにおける係合突起部の側面図である。
【図２５】（Ａ）は前扉上部装飾ユニットの正面図であり、（Ｂ）は前扉上部装飾ユニットの斜視図である。
【図２６】右の上部スピーカーランプ装置の分解斜視図である。
【図２７】右の上部スピーカーランプ装置の前部の分解斜視図である。
【図２８】スピーカーランプ基板の正面図である。
【図２９】（Ａ）は右の上部スピーカーランプ装置の正面図であり、（Ｂ）は右の上部スピーカーランプ装置の左側面図であり、（Ｃ）は右の上部スピーカーランプ装置の右側面図である。
【図３０】図２９（Ａ）におけるＡ−Ａ線に沿った断面図である。
【図３１】スピーカーランプ基板と第１導光レンズとの位置関係を示す図である。
【図３２】図３１におけるＣ部の拡大図である。
【図３３】第１導光レンズの機能を説明するための模式図である。
【図３４】図２９（Ａ）におけるＢ−Ｂ線に沿った断面図である。
【図３５】図３４におけるＤ部の拡大図である。
【図３６】上ランプ装置の分解斜視図である。
【図３７】上ランプ装置の拡大分解斜視図である。
【図３８】図３７におけるＥ部の拡大図である。
【図３９】左の上サイドランプ装置の分解斜視図である。
【図４０】左の上サイドランプ装置の拡大分解斜視図である。
【図４１】前面パネルおよび装飾シートを取り外した状態の発光演出装置を前方から見た斜視図である。
【図４２】発光演出装置の分解斜視図である。
【図４３】図４２におけるＦ部を拡大した分解斜視図である。
【図４４】図４２におけるＦ部を後方から見た分解斜視図である。
【図４５】図４２におけるＧ部を拡大した解斜視図である。
【図４６】図４２におけるＧ部を後方から見た分解斜視図である。
【図４７】第３の発光演出基板を前方から見た斜視図である。
【図４８】第３の発光演出基板を後方から見た斜視図である。
【図４９】上縁枠部材、前面パネルおよび装飾シートを取り外した状態の発光演出装置の正面図である。
【図５０】図４９におけるＨ−Ｈ線に沿った断面図である。
【図５１】図５０におけるＪ部の拡大図である。
【図５２】発光演出ユニットとリールとの位置関係を示すスロットマシンの要部断面図である。
【図５３】前扉を前方から見た分解斜視図である。
【図５４】前扉を後方から見た分解斜視図である。
【発明を実施するための形態】
【０００９】
以下、本発明の実施形態について図面を参照して説明する。まず、本発明に係る遊技機の一例であるスロットマシンの基本的な構成について、図１〜図５を参照して説明する。なお、以下の説明では、図２において各矢印で示す方向をそれぞれ、上下方向、前後方向、左右方向として説明する。
【００１０】
＜スロットマシンの外部構成＞
本実施形態に係るスロットマシン１は、図１〜図５に示すように、前面（前方）が開口した箱状の筐体５と、筐体５の前面開口部に開閉可能に取り付けられた前扉２とを備えている。前扉２は、正面視において、筐体５の左側板５ａの前部に配設されたヒンジ機構６ａ〜６ｃを用いて筐体５の前面開口部に対し横開き開閉可能に取り付けられている。
【００１１】
前扉２の上部中央部分には、筐体５内に横並びに配設された４個のリール１０２ａ，１０２ｂ，１０２ｃ，１０２ｄの表面が臨むリール窓Ｗが設けられている。リール窓Ｗの上側の部分と下側の部分は、その後面側に配設された発光演出装置４００（図５を参照）による表示領域１１として構成されている。前扉２の上部における表示領域１１の上方には、上ランプ装置７００が設けられており、前扉２の上部における表示領域１１の左右上方には、左右の上部スピーカーランプ装置３００Ｌ，３００Ｒが設けられている。前扉２の上部における表示領域１１の左右側方には、左右の上サイドランプ装置８００Ｌ，８００Ｒと、左右のサイドランプ装飾部材１６Ｌ，１６Ｒが設けられている。前扉２の中間部におけるリール窓Ｗの左右側方には、左右の下サイドランプ装置９０Ｌ，９０Ｒが設けられている。
【００１２】
リール窓Ｗは、４個のリール１０２ａ〜１０２ｄが全て停止した際に、リール毎に３個の図柄、合計１２個の図柄が遊技者から視認可能に表示されるように構成されている。リール１０２ａ〜１０２ｄの各中段の図柄表示領域を水平（横一直線）に結ぶ入賞ライン２９（図１を参照）は、規定数の遊技メダルがベットされることにより有効化される入賞ラインである。以下、有効化された入賞ライン２９のことを「有効ライン２９」と称する。
【００１３】
表示領域１１には、詳細な図示を省略するが、遊技状態等に応じた演出を行うための各演出用ランプが配置されている。これらの演出用ランプは、副制御基板（図示せず）を備えた副制御装置６００（図４を参照）により制御されるように構成されている。
【００１４】
前扉２の中間部におけるリール窓Ｗの下方には、左右に延びた操作卓２０が設けられており、その前面部には操作卓パネル２１が設けられている。操作卓２０の上面側には、遊技メダル（遊技媒体）を投入するためのメダル投入口２２と、クレジットされた範囲内で遊技メダルをベットするためのＢＥＴスイッチユニット２３と、演出に関する操作を行うための演出スイッチユニット２４が設けられている。操作卓パネル２１の前面側には、全リール１０２ａ〜１０２ｄを回転開始させる際に操作されるスタートレバー（スタートスイッチ）２５と、各リール１０２ａ，１０２ｂ，１０２ｃ，１０２ｄの回転を個別に停止させるための４個のストップスイッチ２６ａ，２６ｂ，２６ｃ，２６ｄを有するストップスイッチユニット２６が設けられている。また、操作卓パネル２１の右側には、前扉２を開閉させるためのシリンダー錠２８が設けられている。
【００１５】
メダル投入口２２から延びるメダル通路は、投入された遊技メダルが有効に受け入れられる場合に当該遊技メダルが通過する受入通路（後述のホッパー５１に通ずる）と、投入された遊技メダルが受け入れられない場合に当該遊技メダルが通過する返却通路（後述の遊技メダル払出口４１に通ずる）とに分岐しており、その分岐部にはメダルセレクタ３５（図３を参照）が設けられている。メダルセレクタ３５は、投入された遊技メダルが有効に受け入れられる期間においては、メダル投入口２２に投入された遊技メダルを受入通路に導き、それ以外の期間においては、メダル投入口２２に投入された遊技メダルを返却通路に導くように、受入通路と返却通路を選択的に、一方を開状態に他方を閉状態にできるように構成されている。
【００１６】
また、操作卓２０には、詳細な図示を省略するが、遊技を進行する際に必要となる情報を遊技者に報知するための各種の表示ランプが配置されている。表示ランプとしては、例えば、ＢＥＴ数表示ランプ（図示せず）、投入可能表示（ＩＮＳＥＲＴ）ランプ（図示せず）、遊技開始表示（ＳＴＡＲＴ）ランプ（図示せず）、再遊技表示（ＲＥＰＬＡＹ）ランプ（図示せず）、状態表示（ＧＡＭＥ  ＯＶＥＲ）ランプ（図示せず）、貯留枚数表示（ＣＲＥＤＩＴ）ランプ（図示せず）、および払出数表示（ＰＡＹＯＵＴ）ランプ（図示せず）がある。これらの表示ランプは、主制御基板（図示せず）を備えた主制御装置５００（図５を参照）により制御されるように構成されている。
【００１７】
ＢＥＴ数表示ランプは、ベットされた遊技メダルの枚数を表示するもので、ベットされた遊技メダルが、１枚の場合に点灯される１‐ＢＥＴ表示ランプ（図示せず）と、２枚の場合に点灯される２‐ＢＥＴ表示ランプ（図示せず）と、３枚の場合に点灯される３‐ＢＥＴ表示ランプ（図示せず）とから構成される。投入可能表示ランプは、遊技メダルを投入することができる状況下で点灯されるものである。遊技開始表示ランプは、スタートレバー２５を操作して遊技を開始させることができる状況下で点灯されるものである。
【００１８】
再遊技表示ランプは、任意の遊技において再遊技役が成立し、自動ベット処理により遊技メダルが自動的にベットされた際に点灯されるものである。なお、再遊技役とは、遊技メダルの払出しはないが、遊技者が保有する遊技メダルの数を減らすことなく（新たに遊技媒体を投入することなく）次の遊技を行うことが許可される遊技役である。自動ベット処理とは、遊技者が保有する遊技メダルの数を減らすことなく、前回の遊技におけるベット数と同数の遊技メダルがベットされた状態を設定する処理である。状態表示ランプは、ベットされている遊技メダル、および／または貯留されている遊技メダルを精算するときに点灯されるものである。貯留枚数表示ランプは、貯留（クレジット）された遊技メダルの枚数を７セグメント表示するものである。
【００１９】
払出数表示ランプは、小役が成立した際に払い出される遊技メダルの枚数を７セグメント表示するものである。なお、小役とは、成立時に所定枚数の遊技メダルが払い出されるように構成された遊技役である。払出数表示ランプは、スロットマシン１に何らかの異常
（エラー）が発生した際に、そのエラーの種類を示す文字（アルファベット）や数字を表示するようにも構成されている。払出数表示ランプは、各ストップスイッチ２６ａ〜２６ｄの操作順（押し順）を示すナビ番号（記号や数字）を表示する機能も有している。
【００２０】
前扉２の下部前面側には、透明な下パネルカバー３１が取り付けられている。下パネルカバー３１の裏面側には、所定の図柄が設けられた半透明の下パネルベースおよび下パネル照明灯（いずれも図示せず）が取り付けられており、この下パネル照明灯を点灯させることにより、下パネルベースの図柄を後面側から照明するように構成されている。前扉２の下部における下パネルカバー３１の右下方には、下部スピーカーユニット３２が設けられており、前扉２の下部における下パネルカバー３１の左下方には、ウーファーユニット３３が設けられている。
【００２１】
前扉２の下端部には、受け皿ユニット４０が設けられている。受け皿ユニット４０には、遊技メダルを払い出すための遊技メダル払出口４１（図２を参照）が開設されているとともに、遊技メダル払出口４１に臨むようにして遊技メダルを貯留するための遊技メダル貯留皿４２が設けられている。なお、遊技メダル貯留皿４２には、灰皿（図示せず）が設けられるようにしてもよい。
【００２２】
＜スロットマシンの内部構成＞
図４に示すように、筐体５内の下部（底板５ｄ上）には、遊技の結果、所定の入賞態様が構成された場合に獲得される遊技メダルを払い出すメダル払出装置５０が設けられている。メダル払出装置５０は、遊技メダルを検出するためのメダル検出部（図示せず）と、投入されて有効に受け入れられた遊技メダルを物理的に収容する（貯留する）ホッパー５１とを有している。メダル払出装置５０の右方位置には、ホッパー５１から溢れた遊技メダルを収納するための補助収納庫５３が設けられるとともに、この補助収納庫５３が満杯状態（補助収納庫５３から遊技メダルが溢れる可能性のある状態）であるか否かを検出する満杯検出部（図示せず）が設けられている。また、メダル払出装置５０の左方位置には、スロットマシン１に搭載された種々の装置に電力を供給する電源装置５５が設けられている。
【００２３】
筐体５内の中央部には、左右の側板５ａ，５ｂに架け渡されるようにリールベース６０が設けられており、このリールベース６０上にリールユニット１００が載置されている。リールユニット１００は、詳細は後述するが、上述の４個のリール１０２ａ，１０２ｂ，１０２ｃ，１０２ｄと、これらのリール１０２ａ〜１０２ｄをそれぞれ回転させる４個のリールモータ（図４では図示せず）とを有して構成されている。リール１０２ａ〜１０２ｄはそれぞれ、透光性を有する部材により構成されており、その外周面には、複数種類の図柄が表示された、透光性を有するリールテープが貼り付けられている。また、リール１０２ａ〜１０２ｄの内面側にはそれぞれバックランプ（図示せず）が配設されており、これらのバックランプを点灯させることにより、リール窓Ｗ内に臨む各リール１０２ａ，１０２ｂ，１０２ｃ，１０２ｄの領域を内面側から全体的に照明したり、停止表示された所定の図柄組合せ（例えば、有効ライン２９上や、有効ライン２９上とは異なる入賞ライン上に並んだ遊技役の対応図柄等）を目立たせるように各リール１０２ａ，１０２ｂ，１０２ｃ，１０２ｄの一部領域のみを照明したりするように構成されている。
【００２４】
筐体５内の背板５Ｅの上部には、遊技の進行に係る主たる制御（リール１０２ａ〜１０２ｄの駆動制御や役決定処理等を含む）を行う主制御装置５００が設けられている。また、筐体５内の左側板５ａの上部内面には、遊技状況に応じて遊技の興趣向上等を目的とする種々の演出制御（発光演出装置４００による演出ランプの制御や、上ランプ装置７００、左右の上サイドランプ装置８００Ｌ，８００Ｒ、左右の下サイドランプ装置９０Ｌ，９０Ｒによる演出光発生制御、下部スピーカーユニット３２、ウーファーユニット３３等に
よる音声発生制御、左右の上部スピーカーランプ装置３００Ｌ，３００Ｒによる演出光発生制御及び音声発生制御等）を行う副制御装置６００が設けられている。主制御装置５００と副制御装置６００はケーブルハーネスを用いて電気通信可能に接続されており、これら装置間の情報伝達は、主制御装置５００から副制御装置６００への一方向のみ行うことが可能となっている。
【００２５】
＜遊技を行うための基本操作＞
スロットマシン１で遊技を行うには、まず実際にメダル投入口２２に遊技メダルを投入することによりベットするか、ＢＥＴスイッチユニット２３に設けられた１‐ＢＥＴボタンまたはＭＡＸ‐ＢＥＴボタンの何れかを操作してクレジットの範囲内で規定数の遊技メダルをベットすることにより、入賞ライン２９を有効化する。本実施形態では、３枚の遊技メダルがベットされると入賞ライン２９が有効化される構成であるが、規定数を適宜変更したり、遊技メダルのベット数に応じて有効化される入賞ラインを変更したりするようにしてもよい。
【００２６】
次に、遊技者がスタートレバー２５を操作すると、ベット数が確定する（ベットされた遊技メダルが遊技の用に供される）とともに、役決定処理が行われ、その後、最小遊技時間（１つの遊技において全リールが回転開始してから、次の遊技において全リールを回転開始させるまでに最低限確保しなければならないとされる時間（例えば、４.１秒間）の
こと）が経過したことを確認した後、全リール１０２ａ〜１０２ｄが回転を開始し、リール１０２ａ〜１０２ｄの外周表面に表示された複数種類の図柄がリール窓Ｗ内を上下に（通常、上から下に）移動表示される。そして、リール１０２ａ〜１０２ｄの回転が所定の速度に達して定速回転となり、かつ、全てのリールのインデックスを検知すると各ストップスイッチ２６ａ〜２６ｄが有効化され（ストップスイッチの操作が有効に受付け可能とされ）、遊技者がストップスイッチ２６ａを操作するとリール１０２ａの回転が停止し、ストップスイッチ２６ｂを操作するとリール１０２ｂの回転が停止し、ストップスイッチ２６ｃを操作するとリール１０２ｃの回転が停止し、ストップスイッチ２６ｄを操作するとリール１０２ｄの回転が停止するように構成されている。
【００２７】
ここで、有効ライン２９上に停止表示された図柄組合せが予め定めた入賞態様（遊技メダルを獲得することができる遊技役の対応図柄）となっていると判定された場合には、各入賞態様に対応した枚数の遊技メダルがメダル払出装置５０により払い出されるか、またはクレジットとして加算される。
【００２８】
＜リールユニットの構成＞
次に、本実施形態に係るリールユニット１００の構成について図６〜図２４を追加参照して説明する。リールユニット１００は、図６〜図８に示すように、第１〜第４リールモジュール１０１ａ〜１０１ｄと、リールケース２０１と、リール中継基板２５１（図７を参照）と、リール基板カバー２５６と、ランプ中継基板２６１（図７を参照）と、ランプ基板カバー２６６とを有して構成される。
【００２９】
リールケース２０１は、樹脂材料を用いて、射出成型により前方および右方が開口した箱状に形成され、第１〜第４リールモジュール１０１ａ〜１０１ｄを左右に並べて保持するようになっている。第１リールモジュール１０１ａがリールケース２０１の最も左側に収容保持され、第２リールモジュール１０１ｂが第１リールモジュール１０１ａの右隣に収容保持される。第３リールモジュール１０１ｃが第２リールモジュール１０１ａの右隣に収容保持され、第４リールモジュール１０１ｄがリールケース２０１の最も右側に収容保持される。リールケース２０１が前方および右方が開口した箱状に形成されることで、２つのリールケース２０１（単体）を互いに向き合わせた状態で重ねることが可能になる。これにより、組み立てる前の状態の複数のリールケース２０１を、省スペースで運搬し
たり、倉庫等に保管したりすることが可能になる。
【００３０】
図９に示すように、リールケース２０１の前部上側に、上側フランジ部２１１が形成される。上側フランジ部２１１には、丸穴状の上側固定穴部２１２が左右に４個（図９中に３個のみ示す）並んで形成されている。各上側固定穴部２１２には、第１〜第４リールモジュール１０１ａ〜１０１ｄの各上部を上側フランジ部２１１に対して固定するための上側固定具１６８（図６を参照）が係合するようになっている。
【００３１】
上側フランジ部２１１における各上側固定穴部２１２の左方近傍に、矩形穴状のケース前側挿通穴部２１３が形成されている。各ケース前側挿通穴部２１３には、第１〜第４リールモジュール１０１ａ〜１０１ｄのブラケット側リール中継コネクタ１９１（図１１を参照）が挿通されるようになっている。
【００３２】
上側フランジ部２１１における各ケース前側挿通穴部２１３の下方近傍に、ケース前側係合部２１４が形成されている。ケース前側係合部２１４は、上側フランジ部２１１から前方に突出した前面視凹形の突起状に形成される。各ケース前側係合部２１４には、第１〜第４リールモジュール１０１ａ〜１０１ｄの各ブラケット前側係合部１６４ｈ（図１０を参照）が係合するようになっている。
【００３３】
図７に示すように、リールケース２０１の前部下側に、下側フランジ部２１６が形成される。下側フランジ部２１６には、丸穴状の下側固定穴部２１７が左右に４個（図７に１個のみ示す）並んで形成されている。各下側固定穴部２１７には、第１〜第４リールモジュール１０１ａ〜１０１ｄの各下部を下側フランジ部２１６に対して固定するための下側固定具１７８（図１０を参照）が係合するようになっている。
【００３４】
図１６に示すように、下側フランジ部２１６の中央部には、丸穴状のネジ挿通穴部２１８が左右に２個並んで形成されている。各ネジ挿通穴部２１８には、下側フランジ部２１６をリールベース６０における前側固定部６１の前部に固定するための固定ネジ６３（図４を参照）が挿通固定されるようになっている。
【００３５】
リールケース２０１の上部内側に、上側ガイド部２２１が左右に４個並んで形成される（図９に３個のみ示す）。上側ガイド部２２１は、前後方向に延びる溝状に形成され、各リールモジュール１０１ａ〜１０１ｄを構成するリールブラケット１５１（図１４を参照）の上部がスライド移動自在に係合する。すなわち、上側ガイド部２２１は、リールブラケット１５１の上部の形状に合わせた溝状に形成されるが、前方から後方に向かうにつれて溝幅が狭くなるようになっている。各上側ガイド部２２１には、（その上部がスライド移動自在に係合した）第１〜第４リールモジュール１０１ａ〜１０１ｄの各リールブラケット１５１をリールケース２０１の前方側から所定の保持位置まで案内するようになっている。
【００３６】
リールケース２０１の下部内側に、上側ガイド部２２１と対向するように下側ガイド部２２２が左右に４個並んで形成される（図９に１個のみ示す）。下側ガイド部２２２は、前後方向に延びる溝状に形成され、各リールモジュール１０１ａ〜１０１ｄを構成するリールブラケット１５１の下部がスライド移動自在に係合する。すなわち、下側ガイド部２２２は、リールブラケット１５１の下部の形状に合わせた溝状に形成されるが、前方から後方に向かうにつれて溝幅が狭くなるようになっている。各下側ガイド部２２２には、（その下部がスライド移動自在に係合した）第１〜第４リールモジュール１０１ａ〜１０１ｄの各リールブラケット１５１をリールケース２０１の前方側から所定の保持位置まで案内するようになっている。
【００３７】
リールケース２０１の後部内側に、ケース後側係合部２２３が左右に４個並んで形成される（図９に２個のみ示す）。ケース後側係合部２２３は、前方に突出して上下方向に延びるリブ状に形成され、前縁部に各リールモジュール１０１ａ〜１０１ｄのブラケット後側係合部１８６（図１１を参照）と係合可能な溝部を有している。各ケース後側係合部２２３には、第１リールモジュール１０１ａのブラケット後側係合部１８６と係合するようになっている。第１〜第４リールモジュール１０１ａ〜１０１ｄの各ブラケット後側係合部１８６と係合するようになっている。
【００３８】
リールケース２０１の後部上側に、上側補強リブ部２２４が左右に８個並んで形成される（図９に６個のみ示す）。上側補強リブ部２２４は、リールケース２０１の内側に突出して各リール１０２ａ〜１０２ｄの上側に近接するように形成される。上側補強リブ部２２４は、リールケース２０１の後部上側と後述のランプ中継基板取付部２３６（図８を参照）とに繋がって形成されて、リールケース２０１のねじれ等に対する強度を高めている。また、ケース後側係合部２２３も、リールケース２０１のねじれ等に対する強度を高める効果を有している。
【００３９】
図８に示すように、リールケース２０１の後部下側に、各リール１０２ａ〜１０２ｄの下部後方に近接するように湾曲した湾曲部２２５が形成される。湾曲部２２５には、リールケース２０１の外側（後方）に突出する下側補強リブ部２２６が左右に１０個並んで形成される（図８に９個のみ示す）。下側補強リブ部２２６は、リールケース２０１の後下部と湾曲部２２５とに繋がって形成されて、リールケース２０１のねじれ等に対する強度を高めている。
【００４０】
図８に示すように、リールケース２０１の上面部（天井部）に、リール中継基板取付部２３１が形成される。リール中継基板取付部２３１には、リール中継基板２５１と、リール基板カバー２５６とが取り付けられる。リール中継基板取付部２３１の右側に、カバー固定穴部２３３が形成される。カバー固定穴部２３３は、ボス穴状に形成され、リール基板カバー２５６をリール中継基板取付部２３１に対して固定するためのリールカバー固定具２５７が係合するようになっている。
【００４１】
リールケース２０１の後面部（背面部）上側に、ランプ中継基板取付部２３６が形成される（図８を参照）。ランプ中継基板取付部２３６には、ランプ中継基板２６１（図９を参照）と、ランプ基板カバー２６６（図８を参照）とが取り付けられる。図８に示すように、ランプ中継基板取付部２３６の左右に、カバー固定部２３７が形成される。カバー固定部２３７は、ボス穴状に形成され、ランプ基板カバー２６６をランプ中継基板取付部２３６に対して固定するためのランプカバー固定具２６７が係合するようになっている。また、ランプ中継基板取付部２３６は、リールケース２０１の後面部上側に、各リール１０２ａ〜１０２ｄの上部後方に近接して形成される。これにより、ランプ基板カバー２６６がリールケース２０１の後端面から後方に突出しないようにすることができ、リールケース２０１の大きさを最小限に抑えることができる。
【００４２】
図８に示すように、ランプ中継基板取付部２３６には、矩形穴状のケース後側挿通穴部２３８（図９を参照）が左右に４個並んで形成される。各ケース後側挿通穴部２３８には、第１〜第４リールモジュール１０１ａ〜１０１ｄの各ブラケット側ランプ中継コネクタ１９６（図１１を参照）が挿通されるようになっている。
【００４３】
リール中継基板２５１（図８を参照）は、詳細な図示を省略するが、ナイラッチ（登録商標）やニフラッチ（登録商標）等を用いて構成された固定具（図示せず）を用いて、リールケース２０１のリール中継基板取付部２３１に取り付け固定される。リール中継基板２５１は、第１〜第４リールモジュール１０１ａ〜１０１ｄのリールモータ１２１および
リールセンサ１１６（図１２を参照）と、主制御装置５００とに電気的に接続され、主制御装置５００と共に、リールモータ１２１を制御する信号をリールモータ１２１に伝達する機能の少なくとも一部を構成する（担う）。図８に示すように、リール中継基板２５１の前部には、ドロワコネクタと称されるタイプのケース側リール中継コネクタ２５２（図９を参照）が左右に４個並んで配設（実装）される。ケース側リール中継コネクタ２５２は、リールケース２０１の上側フランジ部２１１に形成されたケース前側挿通穴部２１３（図９を参照）と位置整合するように前方を向いて配置される。各ケース側リール中継コネクタ２５２は、第１〜第４リールモジュール１０１ａ〜１０１ｄの各ブラケット側リール中継コネクタ１９１（図１１を参照）と嵌合して電気的に接続されるようになっている。
【００４４】
リール基板カバー２５６（図８を参照）は、透明の樹脂材料を用いて、リール中継基板２５１を上方から覆うことが可能な箱状に形成される。リール基板カバー２５６は、ナイラッチ（登録商標）やニフラッチ（登録商標）等を用いて構成されたリールカバー固定具２５７を用いて、リール中継基板２５１を覆う状態でリール中継基板取付部２３１に取り付け固定される。なお、リール中継基板２５１やリール基板カバー２５６を、かしめ部材（図示せず）を介してリール中継基板取付部２３１に対して取り外すことができないように結合するようにしてもよい。
【００４５】
ランプ中継基板２６１（図７を参照）は、詳細な図示を省略するが、基板スペーサ等を用いて構成された結合部材（図示せず）によりランプ基板カバー２６６に結合保持された状態で、リールケース２０１のランプ中継基板取付部２３６に取り付けられる。ランプ中継基板２６１は、第１〜第４リールモジュール１０１ａ〜１０１ｄのバックランプ基板１３２と、副制御装置６００とに電気的に接続され、副制御装置６００と共に、バックランプユニット１３１（ＬＥＤランプ）を制御する信号をバックランプユニット１３１に伝達する機能の少なくとも一部を構成する（担う）。図７に示すように、ランプ中継基板２６１の前面（ランプ中継基板取付部２３６と対向する面）に、ドロワコネクタタイプのケース側ランプ中継コネクタ２６２が左右に４個並んで配設（実装）される。ケース側ランプ中継コネクタ２６２は、ランプ中継基板取付部２３６に形成されたケース後側挿通穴部２３８と位置整合するように前方を向いて配置される。各ケース側ランプ中継コネクタ２６２は、第１〜第４リールモジュール１０１ａ〜１０１ｄの各ブラケット側ランプ中継コネクタ１９６（図１１を参照）と嵌合して電気的に接続されるようになっている。
【００４６】
ランプ基板カバー２６６（図７を参照）は、透明の樹脂材料を用いて、ランプ中継基板２６１を後方から覆うことが可能な箱状に形成される。ランプ基板カバー２６６は、ランプカバー固定具２６７（図８を参照）を用いて、ランプ中継基板２６１を覆って保持する状態でランプ中継基板取付部２３６に取り付け固定される。ランプカバー固定具２６７は、ランプカバー固定具２６７の後端部に形成されたツマミ部を回転操作することにより、カバー固定部２３７に対して係脱可能な係脱位置と、係脱位置から９０°だけ回転して、ランプ基板カバー２６６をランプ中継基板取付部２３６に固定可能な固定位置との間で回転可能に構成されている。
【００４７】
リールユニット１００は、筐体５内に設けられたリールベース６０上に前方を向いて載置される。リールベース６０は、図４および図２２に示すように、金属材料を用いて板状に形成される。リールベース６０の前部には、前側固定部６１が設けられる。前側固定部６１は、前部が下方に折れ曲がった板状に形成され、結合ネジ６２（図２２を参照）を用いてリールベース６０の前部に結合される。リールユニット１００がリールベース６０の上に載置された状態で、前側固定部６１の前部に、リールユニット１００（リールケース２０１）の前下部に形成された下側フランジ部２１６を当接させることができるようになっている。リールユニット１００の下側フランジ部２１６は、図４に示すように、固定ネ
ジ６３を用いて前側固定部６１の前部に固定される。これにより、リールユニット１００をリールベース６０上に載置された状態で固定することができる。
【００４８】
前側固定部６１の中間部に、結合ネジ６２（図２２を参照）が挿通されるネジ挿通穴部（図示せず）が形成される。ネジ挿通穴部は、前後方向に延びる長穴状に形成されており、リールベース６０に結合される前側固定部６１の位置を前後方向に変位させることができる。前側固定部６１の位置を前後方向に変位させて、前側固定部６１の前部に当接するリールユニット１００の下側フランジ部２１６の位置を変えることで、リールベース６０の上に載置されるリールユニット１００の配置を前後方向で変えることが可能である。
【００４９】
リールベース６０の左右後側に、後側固定部６５が形成される（図２３を参照）。後側固定部６５は、リールベース６０から上方に延びる板状に形成され、後側固定部６５の中央部に係合穴部６６が開口形成される。係合穴部６６は、リールユニット１００の後下部に形成された係合突起部２４１が係合可能な矩形穴状に形成される。リールユニット１００の係合突起部２４１と後側固定部６５の係合穴部６６とが係合した状態で、後側固定部６５がリールユニット１００の上方への移動を規制するように構成される。
【００５０】
図８に示すように、係合突起部２４１は、リールケース２０１の後下部における左右の端部近傍に形成される。係合突起部２４１は、リールケース２０１の後下部から後方に突出して形成され、リールベース６０の上に載置されたリールケース２０１の後側を支持するとともに、リールベース６０の係合穴部６６と係合するようになっている（図２３を参照）。図２４に示すように、係合突起部２４１の下側に、下方を向く下面部２４２が形成される。この下面部２４２は、リールケース２０１本体の下面部（図示せず）と繋がってリールベース６０の上面と対向するようになっている。係合突起部２４１の上側に、上方を向く上面部２４３が形成され、この上面部２４３における左右の先端側（後端側）に、下面部２４２に対して略平行に前後に延びる平行面部２４４が形成される。平行面部２４４を除いた上面部２４３の他の部分は、リールケース２０１の射出成型時に設定された抜き勾配の分だけ、下面部２４２に対して傾斜している。係合突起部２４１の左側面部２４６と右側面部２４７とは、互いに略平行に延びて形成される。係合突起部２４１の上面部２４３および下面部２４２は、平滑な面に限定されるものではなく、例えば、リブや溝等の凹凸を有した構成部分を含むものである。
【００５１】
係合突起部２４１の上面部２４３における左右の基端側に、突起補強リブ部２４５が形成される。突起補強リブ部２４５は、係合突起部２４１の上面部２４３から上方に突出して形成される。突起補強リブ部２４５は、リールケース２０１の湾曲部２２５と係合突起部２４１の上面部２４３とに繋がって形成されて、係合突起部２４１の曲がり等に対する強度を高めている。また、リールケース２０１の後部下側に、各リール１０２ａ〜１０２ｄの下部後方に近接するように湾曲した湾曲部２２５が形成され、リールケース２０１における湾曲部２２５の下方に、係合突起部２４１が形成されている。これにより、係合突起部２４１がリールケース２０１の後端面から後方に突出しないようにすることができ、リールケース２０１の大きさを最小限に抑えることができる。
【００５２】
＜リールモジュールの構成＞
次に、リールユニット１００を構成する第１〜第４リールモジュール１０１ａ〜１０１ｄのうち、第３リールモジュール１０１ｃの詳細な構成について説明する。第１、第２および第４リールモジュール１０１ａ，１０１ｂ，１０１ｄは、第３リールモジュール１０１ｃのリール１０２ｃ（以下「第３リール１０２ｃ」とも称する）とは図柄が異なるリール１０２ａ，１０２ｂ，１０２ｄをそれぞれ用いる他は、第３リールモジュール１０１ｃと同様の構成であり、詳細な図示および説明を省略する。
【００５３】
第３リールモジュール１０１ｃは、図１０に示すように、第３リール１０２ｃと、リールモータ１２１と、バックランプユニット１３１と、リールガード１４１と、リールブラケット１５１とを有して構成される。第３リール１０２ｃは、図１１に示すように、リールテープ１１１と、リールホイール１１２と、リールフレーム１１３とを有して構成される。リールテープ１１１は、細長い帯状に形成されたフィルム材の端部同士を接合させることで、外周面に複数の図柄（図示せず）が描かれた環状に形成される。リールテープ１１１は、リールテープ１１１の左側縁部がリールホイール１１２の外周面部に巻回され、リールテープ１１１の右側縁部がリールフレーム１１３の外周面部に巻回されることで、リールホイール１１２およびリールフレーム１１３により筒状に成形される。
【００５４】
リールホイール１１２は、図１１および図１２に示すように、樹脂材料を用いて略円盤状に形成される。リールホイール１１２の外周面部に、リールテープ１１１の左側縁部が貼り付けられて巻回されるようになっている。リールホイール１１２の中央に、リールモータ１２１の出力軸が連結される。リールフレーム１１３は、図１０および図１１に示すように、樹脂材料を用いて円環状に形成される。リールフレーム１１３の外周面部に、リールテープ１１１の右側縁部が貼り付けられて巻回されるようになっている。リールフレーム１１３の内周側に、リールセンサ１１６によって検出可能なセンサ検出片１１４（図１２を参照）が形成される。
【００５５】
リールモータ１２１は、ステッピングモータを用いて構成され、第３リール１０２ｃを回転駆動する。図１１および図１２に示すように、リールモータ１２１は、本体部分がモータカバー１２６に覆われた状態で、リールブラケット１５１のモータ取付部１５４に取り付け固定される。リールモータ１２１の側部に、モータコネクタ１２２が設けられる。
【００５６】
バックランプユニット１３１は、図１１および図１２に示すように、第３リール１０２ｃの内側に位置して前方を向くようにリールブラケット１５１に取り付けられ、図柄が描かれた第３リール１０２ｃの外周部（リールテープ１１１）を内側から照明可能に構成される。バックランプユニット１３１は、ＬＥＤランプ（図示せず）が配設されたバックランプ基板１３２と、バックランプ基板１３２を保持してリールブラケット１５１に取り付けられるバックランプハウス１３６とを有し、第３リール１０２ｃにおける図柄３つ分の領域を図柄１つ分の領域ごとに個別に照明することができるようになっている。
【００５７】
バックランプ基板１３２の前面には、第３リール１０２ｃにおける図柄３つ分の領域を図柄１つ分の領域ごとに個別に照明できるように、複数のＬＥＤランプ（図示せず）が配設される。バックランプ基板１３２の後面には、ランプ基板コネクタ１３４が配設される。
【００５８】
バックランプハウス１３６は、樹脂材料を用いて、上下方向に並んだ３つのランプ穴部１３７ａ〜１３７ｃを有するブロック状に形成される。バックランプハウス１３６の右側部に、後方に突出する板状の取付アーム部１３８が形成される。取付アーム部１３８は、３つのランプ穴部１３７ａ〜１３７ｃが前方を向くように、リールブラケット１５１のバックランプ取付部１５３に取り付け固定される。バックランプハウス１３６の後部にバックランプ基板１３２が受容保持され、３つのランプ穴部１３７ａ〜１３７ｃを通じて、バックランプ基板１３２の複数のＬＥＤランプ（図示せず）が前方に露出するようになっている。
【００５９】
リールガード１４１は、図１３〜図１７に示すように、樹脂材料を用いて、略Ｌ字形の板状に形成される。リールガード１４１は、リールブラケット１５１の前下部に形成されたリールガード取付部１５６に取り付けられ、リールブラケット１５１に回転可能に保持された第３リール１０２ｃの下部前方を覆うようになっている。リールガード１４１の右
端部後側に、取付アーム部１４２が後方に突出して形成される。図１７（Ａ）〜（Ｃ）に示すように、取付アーム部１４２の左側部に、略Ｔ字形の突片状の係合片部１４３が左方に突出して形成される。係合片部１４３は、矩形板状に形成された係合片基部１４３ａと、係合片基部１４３ａの前面に左右方向に延びるように形成された係合片リブ部１４３ｂとを有して構成される。リールガード１４１の後面上部に、取付アーム部１４２からリールガード１４１の左縁端部までの間を左右方向に延びる凹曲面形状の案内溝部１４６が形成される。案内溝部１４６は、リールガード取付部１５６の前上部に形成された左右方向に延びる案内凸条部１５６ａと摺接してリールガード１４１を案内可能に構成されている。
【００６０】
リールガード１４１は、係合片部１４３がリールブラケット１５１に形成された係合溝部１５７と係合した状態で、リールブラケット１５１のリールガード取付部１５６に取り付けられる。取付アーム部１４２は、基板スペーサ等を用いて構成された固定部材１４８（図１３および図１４を参照）を用いてリールガード取付部１５６の右側部に取り付け固定される。取付アーム部１４２の上部および下部に、固定部材係合穴部１４４が形成される。固定部材係合穴部１４４は、固定部材１４８の一端を係合させることが可能な丸穴状に形成される。リールガード１４１の前面に、ハニカム形状の凹凸面部１４５が形成される。これにより、リールガード１４１の強度を高めることができる。また、ハニカム形状の凹凸面部１４５によってリールガード１４１の前面についた傷が目立たなくなり、リールガード１４１を再利用し易くなる。
【００６１】
リールブラケット１５１は、図１０〜図１６に示すように、樹脂材料を用いて、上下方向および前後方向に延びる板状に形成され、リールケース２０１に収容保持される。リールブラケット１５１の前部中央に、リール間の隙間を覆うためのカラー部１５２が円弧状に形成される。リールブラケット１５１の左側部前側に、バックランプ取付部１５３が形成される。バックランプ取付部１５３に、バックランプユニット１３１（バックランプハウス１３６）の取付アーム部１３８が取り付け固定される。リールブラケット１５１の左側部中央に、モータ取付部１５４が形成される。モータ取付部１５４に、モータカバー１２６に覆われたリールモータ１２１が取り付け固定される。これにより、リールブラケット１５１は、リールモータ１２１を介して、第３リール１０２ｃを回転可能に保持する。リールブラケット１５１の左側部上側に、センサ取付部１５５が形成される。センサ取付部１５５に、リールセンサ１１６が取り付けられる。リールセンサ１１６は、所定の基準回転位置に回転した第３リール１０２ｃのセンサ検出片１１４を検出する。
【００６２】
図１３および図１４に示すように、リールブラケット１５１の前下部に、リールガード取付部１５６が形成される。リールガード取付部１５６の前部右側に、係合溝部１５７が形成される。係合溝部１５７は、リールガード取付部１５６の右側部で開口した蟻溝状に形成され、リールガード１４１の係合片基部１４３ａが挿入可能な係合溝基部１５７ａと、リールガード１４１の係合片リブ部１４３ｂが挿入可能な係合溝スリット部１５７ｂを有して構成される。係合溝部１５７は、リールガード１４１の係合片部１４３を右方から係合溝部１５７に挿入（係合片基部１４３ａを係合溝基部１５７ａに挿入、係合片リブ部１４３ｂを係合溝スリット部１５７ｂに挿入）して係合させることができるようになっている。係合溝部１５７と係合片部１４３とが係合することにより、リールガード１４１がリールガード取付部１５６の前面部に固定されて脱落することが防止される。
【００６３】
リールガード取付部１５６の前上部に、左右方向に延びる案内凸条部１５６ａが形成される。案内凸条部１５６ａは、リールガード１４１の後面上部に形成された案内溝部１４６と略同形状の凸曲面を有し、案内溝部１４６と摺接可能に構成されている。案内凸条部１５６ａの左右方向の長さはリールガード取付部１５６の左右方向の幅と等しくなっており、案内溝部１４６の左右方向の長さよりも短くなっている。リールガード取付部１５６
の右側部に、リールガード固定穴部１５８が形成される。リールガード固定穴部１５８は、固定部材１４８の他端を係合させることが可能な丸穴状に形成される。リールガード固定穴部１５８に固定部材１４８の他端を係合させた状態で、リールガード１４１の係合片部１４３を係合溝部１５７に挿入して係合させて、リールガード１４１の固定部材係合穴部１４４に固定部材１４８の一端を結合させることにより、リールガード１４１がリールガード取付部１５６に取り付け固定される。これにより、ネジを使用することなく、リールガード１４１をリールガード取付部１５６に取り付け固定することができる。
【００６４】
リールガード１４１をリールガード取付部１５６に取り付ける際には、まず、リールガード１４１の後面左部をリールガード取付部１５６の前面部に前方より当接させる。このとき、リールガード取付部１５６の案内凸条部１５６ａにリールガード１４１の案内溝部１４６が当接するようにする。次に、案内凸条部１５６ａに案内溝部１４６を摺接させて案内させながら、リールガード１４１を左方にスライド移動させ、リールガード１４１の係合片部１４３を右方からリールガード取付部１５６の係合溝部１５７に挿入して係合させる。そして、リールガード固定穴部１５８に固定部材１４８の他端を係合させた状態で、リールガード１４１の係合片部１４３を係合溝部１５７に挿入して係合させて、リールガード１４１の固定部材係合穴部１４４に固定部材１４８の一端を結合させることにより、リールガード１４１をリールガード取付部１５６に取り付け固定する。
【００６５】
リールガード取付部１５６に取り付けられたリールガード１４１を取り外す際には、リールガード取付部１５６の案内凸条部１５６ａにリールガード１４１の案内溝部１４６を摺接させながら、リールガード１４１を右方にスライド移動させ、リールガード１４１の固定部材係合穴部１４４と固定部材１４８との結合を解除するとともに、リールガード１４１の係合片部１４３を係合溝部１５７から抜脱させればよい。このようにリールガード取付部１５６に対するリールガード１４１の着脱は、リールガード取付部１５６の案内凸条部１５６ａにリールガード１４１の案内溝部１４６を摺接させて案内させながら、リールガード１４１を左右方向にスライド移動させることにより行うことができるので作業性が良い。
【００６６】
第３リールモジュール１０１ｃにおけるリールガード１４１の着脱は、図１６に示すように、第３リールモジュール１０１ｃの右側に位置する第４リールモジュール１０１ｄのリールガード１４１が取り外された状態であれば、各リールモジュール１０１ａ〜１０１ｄがリールケース２０１内に収容され、第３リールモジュール１０１ｃの左側に位置する第２リールモジュール１０１ｂのリールガード１４１が装着された状態でも行うことができる。これは、着脱時のリールガード１４１のスライド移動量が、リールガード取付部１５６の左右方向の幅内に収まり、着脱時にリールガード１４１が、左側に位置するリールモジュールのリールガード１４１とは干渉しないようになっているためである。なお、各リールモジュール１０１ａ〜１０１ｄがリールケース２０１内に収容された状態でそれぞれのリールガード１４１を取り付ける場合は、第１リールモジュール１０１ａ、第２リールモジュール１０１ｂ、第３リールモジュール１０１ｃ、第４リールモジュール１０１ｄの順に、各リールガード１４１を取り付ければよい。逆に、それぞれのリールガード１４１を取り外す場合は、第４リールモジュール１０１ｄ、第３リールモジュール１０１ｃ、第２リールモジュール１０１ｂ、第１リールモジュール１０１ａの順に、各リールガード１４１を取り外せばよい。
【００６７】
なお、リールブラケット１５１の右側面部には、リールガード１４１の凹凸面部１４５と同様に、ハニカム形状の凹凸面部１５９が形成される。これにより、リールブラケット１５１の強度を高めることができる。また、ハニカム形状の凹凸面部１５９によってリールブラケット１５１の右側面部についた傷が目立たなくなり、リールブラケット１５１を再利用し易くなる。なお、凹凸面部１４５，１５９の形状は、ハニカム形状の凹凸に限ら
ず、格子状の凹凸など、強度が高められる補強構造であれば適宜変更可能である。
【００６８】
図１０〜図１４および図１８に示すように、リールブラケット１５１の前部上側に、板状の上側ブラケット固定部１６１が形成される。上側ブラケット固定部１６１は、上側固定具１６８を用いて、リールケース２０１の上側フランジ部２１１に固定される。上側ブラケット固定部１６１の右側に、上側固定具挿通穴部１６２（図１８を参照）が形成される。上側固定具挿通穴部１６２は、上側固定具１６８を挿通させることが可能な丸穴状に形成される。上側固定具１６８を上側固定具挿通穴部１６２に挿通させて、上側フランジ部２１１の上側固定穴部２１２と係合させることにより、上側ブラケット固定部１６１が上側フランジ部２１１に固定される。なお、上側固定具１６８は、ナイラッチ（登録商標）やニフラッチ（登録商標）等を用いて構成される。
【００６９】
上側ブラケット固定部１６１の左側に、前側コネクタ取付部１６３が形成される。前側コネクタ取付部１６３の後側に、モータケーブル（図示せず）の一端に設けられた、ドロワコネクタタイプのブラケット側リール中継コネクタ１９１が取り付けられる。モータケーブルは、リールモータ１２１とリール中継基板２５１とに電気的に接続されるとともに、リールセンサ１１６とリール中継基板２５１とに電気的に接続される二股のケーブルである。前側コネクタ取付部１６３の中央に、上下に延びる長穴状の前側ケーブル挿通穴部１６４が形成される。前側ケーブル挿通穴部１６４の上側に、ブラケット側リール中継コネクタ１９１の基端部および当該基端部に繋がるモータケーブルが挿通される。
【００７０】
前側ケーブル挿通穴部１６４の下側に、上側フランジ部２１１のケース前側係合部２１４と係合可能なブラケット前側係合部１６４ｈが形成される。前側ケーブル挿通穴部１６４がブラケット前側係合部１６４ｈを含んで大きく形成されることで、上側フランジ部２１１のケース前側係合部２１４とブラケット前側係合部１６４ｈとが係合する前の状態で、モータケーブルを前側ケーブル挿通穴部１６４に容易に挿通させることができる。また、上側フランジ部２１１のケース前側係合部２１４（図９を参照）は、前述したように、前面視凹形の突起状に形成されており、ブラケット前側係合部１６４ｈと係合する際に、モータケーブルを噛み込まないようになっている。前側コネクタ取付部１６３の両脇に、前側ガイドピン挿通穴部１６５（図１８を参照）が形成される。前側ガイドピン挿通穴部１６５は、ブラケット側リール中継コネクタ１９１のガイドピン１９２を挿通させることが可能な丸穴状に形成される。
【００７１】
ブラケット側リール中継コネクタ１９１は、両脇に形成されたガイドピン１９２が前側ガイドピン挿通穴部１６５に挿通された状態で、前側コネクタ取付部１６３の後側に取り付けられる。ブラケット側リール中継コネクタ１９１は、前側コネクタ取付部１６３に対し、上下方向および左右方向に少し遊びを持った状態で取り付けられる。ブラケット側リール中継コネクタ１９１は、リールブラケット１５１（第３リールモジュール１０１ｃ）がリールケース２０１に収容保持されると、リール中継基板２５１のケース側リール中継コネクタ２５２と嵌合して電気的に接続されるようになっている。なお、モータケーブル（図示せず）の他端に設けられたモータ側ケーブルコネクタ（図示せず）は、リールモータ１２１のモータコネクタ１２２と電気的に接続される。モータケーブル（図示せず）のもう一つの他端に設けられたセンサ側ケーブルコネクタ（図示せず）は、リールセンサ１１６のセンサコネクタ（図示せず）と電気的に接続される。ブラケット側リール中継コネクタ１９１の後端部には、ケース側リール中継コネクタ２５２と嵌合を容易とするためのテーパ部１９１ａが設けられる（図１８（Ｂ）を参照）。ケース側リール中継コネクタ２５２の前端部には、このテーパ部と摺接するテーパ部（図示せず）が設けられる。
【００７２】
ブラケット側リール中継コネクタ１９１の基端部は、モータケーブル（図示せず）との接続部を基準として下側が厚くなるように形成される。そのため、ブラケット側リール中
継コネクタ１９１を上下逆の向きで前側コネクタ取付部１６３に取り付けようとしても、ブラケット側リール中継コネクタ１９１の基端部が前側ケーブル挿通穴部１６４の上方部分に当接し、前側ケーブル挿通穴部１６４の上側に、ブラケット側リール中継コネクタ１９１の基端部および当該基端部に繋がるモータケーブルを挿通させることができないようになっている。これにより、ブラケット側リール中継コネクタ１９１が上下逆の向きで前側コネクタ取付部１６３に取り付けられることを防止することができる。
【００７３】
図１０に示すように、リールブラケット１５１の前部下側に、板状の下側ブラケット固定部１７１が形成される。下側ブラケット固定部１７１は、下側固定具１７８を用いて、リールケース２０１の下側フランジ部２１６（図７を参照）に固定される。下側ブラケット固定部１７１の中央に、下側固定具挿通穴部１７２が形成される。下側固定具挿通穴部１７２は、下側固定具１７８を挿通させることが可能な丸穴状に形成される。下側固定具１７８を下側固定具挿通穴部１７２に挿通させて、下側フランジ部２１６の下側固定穴部２１７（図７を参照）と係合させることにより、下側ブラケット固定部１７１が下側フランジ部２１６に固定される。なお、下側固定具１７８は、ナイラッチ（登録商標）やニフラッチ（登録商標）等を用いて構成される。
【００７４】
図１１〜図１２、図１４および図１９に示すように、リールブラケット１５１の後部上側に、後側コネクタ取付部１８３が形成される。後側コネクタ取付部１８３の後側に、ランプケーブル（図示せず）の一端に設けられた、ドロワコネクタタイプのブラケット側ランプ中継コネクタ１９６が取り付けられる。ランプケーブルは、バックランプ基板１３２とランプ中継基板２６１とに電気的に接続されるケーブルである。後側コネクタ取付部１８３の中央に、後側ケーブル挿通部１８４（図１９を参照）が切欠き形成される。後側ケーブル挿通部１８４に、ブラケット側ランプ中継コネクタ１９６の基端部および当該基端部に繋がるランプケーブルが挿通される。後側コネクタ取付部１８３の両脇に、後側ガイドピン挿通穴部１８５（図１９を参照）が形成される。後側ガイドピン挿通穴部１８５は、ブラケット側ランプ中継コネクタ１９６のガイドピン１９７を挿通させることが可能な丸穴状に形成される。
【００７５】
ブラケット側ランプ中継コネクタ１９６は、両脇に形成されたガイドピン１９７が後側ガイドピン挿通穴部１８５に挿通された状態で、後側コネクタ取付部１８３の後側に取り付けられる。ブラケット側ランプ中継コネクタ１９６は、後側コネクタ取付部１３３に対し、上下方向および左右方向に少し遊び（ブラケット側リール中継コネクタ１９１の前側コネクタ取付部１６３に対する遊びよりも若干大きい遊び）を持った状態で取り付けられる。ブラケット側ランプ中継コネクタ１９６は、リールブラケット１５１（第３リールモジュール１０１ｃ）がリールケース２０１に収容保持されると、ランプ中継基板２６１のケース側ランプ中継コネクタ２６２と嵌合して電気的に接続されるようになっている。なお、ランプケーブル（図示せず）の他端に設けられたランプ側ケーブルコネクタ（図示せず）は、バックランプ基板１３２のランプ基板コネクタ１３４と電気的に接続される。ブラケット側ランプ中継コネクタ１９６の後端部には、ケース側ランプ中継コネクタ２６２との嵌合を容易とするためのテーパ部１９６ａが設けられる（図１９（Ｂ）を参照）。ケース側ランプ中継コネクタ２６２の前端部には、このテーパ部と摺接するテーパ部（図示せず）が設けられる。
【００７６】
ブラケット側ランプ中継コネクタ１９６の基端部は、ランプケーブル（図示せず）との接続部を基準として左側が厚くなるように形成される。そのため、ブラケット側ランプ中継コネクタ１９６を左右逆の向きで後側コネクタ取付部１８３に取り付けようとしても、ブラケット側ランプ中継コネクタ１９６の基端部が後側ケーブル挿通部１８４の右方部分に当接し、後側ケーブル挿通部１８４に、ブラケット側ランプ中継コネクタ１９６の基端部および当該基端部に繋がるランプケーブルを挿通させることができないようになってい
る。これにより、ブラケット側ランプ中継コネクタ１９６が左右逆の向きで後側コネクタ取付部１８３に取り付けられることを防止することができる。
【００７７】
図１１に示すように、リールブラケット１５１の後端部に、ブラケット後側係合部１８６が形成される。ブラケット後側係合部１８６は、リールブラケット１５１の中間部分よりも薄い、上下方向に延びる片状に形成される。ブラケット後側係合部１８６は、リールケース２０１のケース後側係合部２２３（図９を参照）と係合するようになっている。なお、ケース後側係合部２２３の最大幅は、リールブラケット１５１の中間部の幅と同じか、それよりも小さくなるように設計されており、ブラケット後側係合部１８６と係合しても、第３リール１０２ｃに当接しないようになっている。
【００７８】
以上のように構成される第３リールモジュール１０１ｃを、リールケース２０１に収容保持させるには、まず、リールケース２０１に対する第３リールモジュール１０１ｃの収容位置において、第３リールモジュール１０１ｃリールブラケット１５１の上部をリールケース２０１の上側ガイド部２２１（図９を参照）と係合させるとともに、リールブラケット１５１の下部をリールケース２０１の下側ガイド部２２２（図７を参照）と係合させる。これにより、リールブラケット１５１がリールケース２０１の内側で前後方向にスライド移動することが可能になる。
【００７９】
次に、第３リールモジュール１０１ｃを、リールケース２０１の前方側から後方（リールケース２０１の内方）にスライド移動させる。このとき、リールブラケット１５１は、上側ガイド部２２１および下側ガイド部２２２によって、リールケース２０１の前方側から所定の保持位置まで案内される。リールブラケット１５１が上側ガイド部２２１および下側ガイド部２２２に案内されて所定の保持位置まで移動すると、リールブラケット１５１の上側ブラケット固定部１６１がリールケース２０１の上側フランジ部２１１に当接し、リールブラケット１５１の下側ブラケット固定部１７１がリールケース２０１の下側フランジ部２１６に当接する。
【００８０】
そして、上側固定具１６８を用いて、リールブラケット１５１の上側ブラケット固定部１６１をリールケース２０１の上側フランジ部２１１に固定し、下側固定具１７８を用いて、リールブラケット１５１の下側ブラケット固定部１７１をリールケース２０１の下側フランジ部２１６に固定する。これにより、第３リールモジュール１０１ｃは、リールケース２０１に収容保持される。
【００８１】
また、図２０および図２１に示すように、リールブラケット１５１が上側ガイド部２２１および下側ガイド部２２２に案内されて所定の保持位置まで移動すると、リールブラケット１５１の前側では、リールブラケット１５１の前部（前側コネクタ取付部１６３）に取り付けられたブラケット側リール中継コネクタ１９１と、リール中継基板２５１のケース側リール中継コネクタ２５２とが嵌合して電気的に接続される。この電気的接続が行われるのと略同じタイミングで、リールブラケット１５１の後側では、リールブラケット１５１の後部（後側コネクタ取付部１８３）に取り付けられたブラケット側ランプ中継コネクタ１９６と、ランプ中継基板２６１のケース側ランプ中継コネクタ２６２とが嵌合して電気的に接続される。これにより、第３リールモジュール１０１ｃをリールケース２０１に収容して取り付ける作業を行うだけで、リールモータ１２１およびリールセンサ１１６とリール中継基板２５１とを電気的に接続させるとともに、これと略同じタイミングで、バックランプ基板１３２とランプ中継基板２６１とを電気的に接続させることができる。
【００８２】
なお、ブラケット側リール中継コネクタ１９１とケース側リール中継コネクタ２５２とにおいて相互に接続される端子数（例えば、７本）は、ブラケット側ランプ中継コネクタ１９６とケース側ランプ中継コネクタ２６２とにおいて相互に接続される端子数（例えば
、４本）よりも多くなっている。一般的に、嵌合させる一対のコネクタにおける端子数が多くなる程、嵌合させる際に大きい力が必要となるので、嵌合させ難くなる。本実施形態では、端子数の多いリール中継コネクタ１９１，２５２の方が、端子数の少ないランプ中継コネクタ１９６，２６２よりも前方側（作業者に近い側）において嵌合するようになっている。そのため、リール中継コネクタ１９１，２５２の方が、ランプ中継コネクタ１９６，２６２よりも嵌合させる際に力を作用させ易いので、端子数の多いリール中継コネクタ１９１，２５２同士についても、容易に嵌合させることが可能となっている。
【００８３】
また、リール中継コネクタ１９１，２５２よりも後方側において嵌合するランプ中継コネクタ１９６，２６２は、第３リールモジュール１０１ｃをリールケース２０１に収容する際に、リール中継コネクタ１９１，２５２よりも位置ズレが生じ易い。本実施形態では、ブラケット側リール中継コネクタ１９１の前側コネクタ取付部１６３に対する遊びよりもブラケット側ランプ中継コネクタ１９６の後側コネクタ取付部１３３に対する遊びの方が大きくなるようにしている。そのため、位置ズレが生じ易いランプ中継コネクタ１９６，２６２同士についても、ブラケット側ランプ中継コネクタ１９６の後側コネクタ取付部１３３に対する遊びにより、相互間の位置ズレを吸収して容易に嵌合させることが可能となっている。
【００８４】
また、第３リールモジュール１０１ｃをリールケース２０１に収容し、リール中継コネクタ１９１，２５２同士およびランプ中継コネクタ１９６，２６２同士が嵌合されると、第３リールモジュール１０１ｃはリールケース２０１に対して仮固定された状態となる。そのため、上側固定具１６８および下側固定具１７８を用いてリールケース２０１に対して第３リールモジュール１０１ｃを本固定していない状態の組み立て中のリールユニット１００を移動させても、誤って第３リールモジュール１０１ｃがリールケース２０１から脱落してしまうことを防止することができる。
【００８５】
また、リールブラケット１５１が上側ガイド部２２１および下側ガイド部２２２に案内されて所定の保持位置まで移動すると、リールブラケット１５１の前部に形成されたブラケット前側係合部１６４ｈと、リールケース２０１のケース前側係合部２１４とが係合し、リールブラケット１５１の後部に形成されたブラケット後側係合部１８６と、リールケース２０１のケース後側係合部２２３とが係合する。これにより、リールブラケット１５１におけるブラケット側リール中継コネクタ１９１およびブラケット側ランプ中継コネクタ１９６の近傍の部分がリールケース２０１に対して固定されるため、ブラケット側リール中継コネクタ１９１とケース側リール中継コネクタ２５２との位置ズレおよび、ブラケット側ランプ中継コネクタ１９６とケース側ランプ中継コネクタ２６２との位置ズレを防止することができる。
【００８６】
なお、第１リールモジュール１０１ａ、第２リールモジュール１０１ｂおよび第４リールモジュール１０１ｄは、第３リールモジュール１０１ｃに対するのと同様の作業を行うことにより、リールケース２０１に収容保持することができる。そのため、本実施形態によれば、簡単な作業で確実にリールユニット１００を組み立てることができる。また、各リールモジュール１０１ａ〜１０１ｄをリールケース２０１に収容保持することにより、ブラケット側リール中継コネクタ１９１とケース側リール中継コネクタ２５２とが電気的に接続され、これにより、リールモータ１２１およびリールセンサ１１６とリール中継基板２５１とが電気的に接続される。同じく、各リールモジュール１０１ａ〜１０１ｄをリールケース２０１に収容保持することにより、ブラケット側ランプ中継コネクタ１９６とケース側ランプ中継コネクタ２６２とが電気的に接続され、これにより、バックランプ基板１３２とランプ中継基板２６１とが電気的に接続される。そのため、各リールモジュール１０１ａ〜１０１ｄをリールケース２０１に収容した後に、改めてリールモータ１２１およびリールセンサ１１６とリール中継基板２５１とを電気的に接続したり、バックラン
プ基板１３２とランプ中継基板２６１とを電気的に接続したりする必要がないので、作業性が向上する。また、リール中継基板２５１をリールケース２０１の上面部に配置し、ランプ中継基板２６１をリールケース２０１の後面部に配置しているので、２つの中継基板２５１，２６１をリールケース２０１の上面部に互いに重ねて配置するように構成した場合に比較して、リールユニット１００を小型化することができる。なお、本実施形態では、リール中継基板２５１をリールケース２０１の上面部に設けているが、リール中継基板２５１をリールケース２０１の底面部に設けるようにしてもよい。この場合、ブラケット側リール中継コネクタ１９１およびケース側リール中継コネクタ２５２は、リールケース２０１の底面部寄りに配置される。また、リール中継基板２５１を、ホールコンピュータ等の外部装置に出力される外端信号の中継基板として兼用することもできる。
【００８７】
また、本実施形態において、各リールモジュール１０１ａ〜１０１ｄにおけるリールブラケット１５１の前下部に、各リール１０２ａ〜１０２ｄの下部前方を覆うリールガード１４１が取り付けられる。これにより、図５に示すように前扉２を開放してスロットマシン１のメンテナンスを行う際、例えば、遊技メダルを補充する際に、遊技メダルを入れたジョッキ（図示せず）が各リール１０２ａ〜１０２ｄに接近しても、リールガード１４１によって各リール１０２ａ〜１０２ｄに当接することを防ぐことができ、各リール１０２ａ〜１０２ｄの破損を防止することが可能になる。各リールモジュール１０１ａ〜１０１ｄのリールブラケット１５１に、リールガード１４１が個別に取り付けられるため、故障等により、各リールモジュール１０１ａ〜１０１ｄのうちいずれかを交換する必要が生じたとしても、リールガード１４１のみを取り外す必要が無く、各リールモジュール１０１ａ〜１０１ｄを個別に容易に交換することができる。
【００８８】
前述したように、リールガード１４１は略Ｌ字形の板状に形成され、リールガード１４１の右端部後側に形成された取付アーム部１４２が、リールブラケット１５１のリールガード取付部１５６に取り付けられるようになっている。これにより、遊技メダルを入れたジョッキ等（図示せず）の異物がリールガード１４１に当接した場合に生じる力のモーメントが、リールガード１４１の右端の折れ曲がり部分に作用し、リールガード１４１の取付アーム部１４２とリールブラケット１５１のリールガード取付部１５６との結合部分に直接作用しない。そのため、リールブラケット１５１（リールガード取付部１５６）に対するリールガード１４１の取り付け強度を高めることが可能になる。
【００８９】
本実施形態のリールユニット１００は、４個のリールモジュール１０１ａ〜１０１ｄを備えた４リール構成のユニットであるが、一般的な３リール構成のユニットとすることも可能である。３リール構成とする場合でも各リールモジュールは、上述したリールモジュール１０１ｃと同様の構成とすることができる。ただし、３リール構成とする場合、４リール構成の場合と比べて各リールモジュールの左右方向の幅（リール幅）が少し広くなる。このようなリール幅の違いはあるものの、上述したリールガード１４１は、３リール構成のリールモジュールにおいてもそのまま用いることができる。すなわち、リールガード１４１は、３リール構成のリールモジュールと４リール構成のリールモジュールとで共用できるようになっている。これにより、３リール構成用のリールガードと４リール構成用のリールガードとを別々に用意する場合に比べて、コスト低減を図ることができる。また、２種類のリールガードを取り違えて取り付けるといった作業ミスを減らすことができるので、組立ての作業性も向上する。
【００９０】
以上のようにして組み立てられたリールユニット１００を、リールベース６０に載置固定するには、まず、リールユニット１００（リールケース２０１）を筐体５の内部に収容するようにしてリールベース６０の上に載置する。次に、必要に応じて手動でリールユニット１００を移動させ、リールベース６０における前側固定部６１の前面に、リールユニット１００のリールケース２０１に形成された下側フランジ部２１６を当接させる。なお
このとき、リールユニット１００のリールケース２０１に形成された左右の係合突起部２４１を、リールベース６０の左右の係合穴部６６に挿通させて係合させる。そして、固定ネジ６３を用いて、リールケース２０１の下側フランジ部２１６をリールベース６０の前側固定部６１に固定する。これにより、リールユニット１００がリールベース６０に載置固定される。
【００９１】
なお、本実施形態のリールユニット１００におけるリールガード１４１は、各リールを保持するリールブラケット１５１毎に個別に取り付ける構成とすることで、リールケース２０１のサイズが異なる３リールの機種と４リールの機種との間で共通の部品を採用可能とするよう構成したが、これに限定されるものではない。３リールのみ（あるいは４リールのみ）の製品のみを設計する場合は、リールブラケット１５１に対してリールガード１４１を個別に取り付ける必要はなく、リールケース２０１やリールベース６０に対して、複数のリールに跨るサイズのリールガード１４１を取り付けるよう構成してもよい。また、リールブラケット１５１やリールケース２０１に対するリールガード１４１の取付方法（取付方向）についても、左右方向へのスライド取り付けではなく前後方向ないし上下方向に位置を合わせニフラッチ（登録商標）などによって結合する方式などに適宜変更可能である。
【００９２】
本実施形態において、リールケース２０１の係合突起部２４１の上面部２４３に、下面部２４２に対して略平行に前後に延びる平行面部２４４が形成されている。係合突起部２４１がリールベース６０の係合穴部６６に係合した状態で、係合突起部２４１の平行面部２４４は、係合穴部６６の上側内周部に摺接もしくは近接し、係合突起部２４１の左側面部２４６および右側面部２４７は、係合穴部６６の左右の内周部に摺接もしくは近接するように構成される。これにより、仕様変更等によって、リールユニット１００の前後方向の位置が設計的に変化したとしても、係合突起部２４１の平行面部２４４は、リールユニット１００（係合突起部２４１）前後方向の変位に拘わらず係合穴部６６の上側内周部に摺接もしくは近接するため、係合突起部２４１と係合穴部６６との間で上下方向のガタが生じることはない。そのため、本実施形態によれば、簡便な構成でリールユニット１００をリールベース６０に対して確実に固定することが可能になる。
【００９３】
本実施形態のリールユニット１００における各リール１０２ａ〜１０２ｄは、４リール構成用のリールであるので、３リール構成用のリールと比べてリール幅、すなわち、リールテープ１１１の幅が狭くなっている。そのため、リールテープ１１１を、３リール構成用のリールテープと同じ構成とすると、幅が狭い分、３リール構成用のリールテープと比べて軽量となり、それに応じて各リール１０２ａ〜１０２ｄも３リール構成用のリールに比べて軽量となる。リールの回転および停止を制御するための制御プログラムは、リールの重量を勘案して所定の重量のリールに対して適正なリール駆動制御を行えるように構成される。したがって、リールの重量が変化すると、リール停止時や加速時等におけるリールの慣性力が変わるために、同じ制御プログラムを用いた場合、リールを適正に制御することができなくなる虞がある。そのため従来は、４リール構成とする場合、汎用的な３リール構成用のリール制御プログラムを、軽量のリールに対応できるように内容を変更して用いることが一般的であった。これに対し、本実施形態では、幅の狭い４リール構成用のリールテープ１１１を、幅の広い３リール構成用のリールテープとは異なる構成として、３リール構成用のリールテープと同等の重量を有するようにしている。これにより、３リール構成用のリール制御プログラムを、上記内容の変更を行うことなく利用できるようにしている。
【００９４】
リールテープ１１１は、具体的には例えば、次のように構成される。基本的な構成としては、リールテープ１１１の裏面全域に、ちぢみ印刷が行われる。ちぢみ印刷は、紫外線硬化タイプの所定のインキを用い、印刷時に異なる波長の紫外線を照射することにより、
印刷面に不規則な凹凸模様を生じさせる印刷手法である。特有の光沢感が得られるため、一般的には、ボーナス図柄等の目立たせたい特定の図柄の裏面のみに用いられる印刷手法である。このようなちぢみ印刷を、リールテープ１１１の裏面全域に施すことにより、リールテープ１１１の重量を増加させる。なお、光沢感を出したくない図柄の裏面には、例えば、光沢感を打ち消すような効果を有する白色等の印刷層（シート）を先に形成し、ちぢみ印刷はその印刷層の裏面に行う。リールテープ１１１では、このような光沢感打消用の印刷層を設けること（印刷層の重量）も考慮した上で、３リール構成用のリールテープと同等の重量を有するようにちぢみ印刷が行われる。
【００９５】
＜上部スピーカー装置の構成＞
次に、本実施形態に係る左右の上部スピーカーランプ装置３００Ｌ，３００Ｒのうち、右の上部スピーカーランプ装置３００Ｒの構成について図２５〜図３４を追加参照して説明する。左の上部スピーカーランプ装置３００Ｌは、右の上部スピーカーランプ装置３００Ｒに対し左右対称に形成されている他は、右の上部スピーカーランプ装置３００Ｒと同様の構成であり、詳細な図示および説明を省略する。
【００９６】
図２５には、前扉上部装飾ユニット７０を示している。この前扉上部装飾ユニット７０は、前扉２のカバー部の上端部分を構成するものであり、前扉上部カバー枠７１と、上ランプ装置７００と、左右の上部スピーカーランプ装置３００Ｌ，３００Ｒと、左右の上サイドランプ装置８００Ｌ，８００Ｒとを有して構成される。
【００９７】
上部スピーカーランプ装置３００Ｒは、図２６に示すように、スピーカーランプベース部材３１０と、スピーカーランプ基板３２０と、スピーカーユニット３３０と、スピーカーフード３４０と、第１導光レンズ３５０と、第２導光レンズ３６０と、導光レンズ保持カバー３７０と、前カバー部材３８０とを有して構成される。上部スピーカーランプ装置３００Ｒは、これらの構成要素が図示した順に互いに組み合われた状態（図２９を参照）で、前扉上部カバー枠７１の前面側に形成されたスピーカーランプ収容部７２に収容固定されるようになっている。スピーカーランプ収容部７２には、スピーカーユニット３３０の後端部が臨む矩形状の開口部７３が形成されている。
【００９８】
スピーカーランプベース部材３１０は、前面側が開放された矩形箱状に形成され、その後面部に、スピーカーユニット３３０の後端部が臨む矩形状の開口部３１１が形成されている。スピーカーランプ基板３２０は、図２８に示すように、矩形板状に形成され、その中央部に、スピーカーランプベース部材３１０の開口部３１１と略同形状の開口部３２１が形成されている。また、スピーカーランプ基板３２０の前面部には、６個のＬＥＤ３２２ａ〜３２２ｆ（これらを区別しないときは「ＬＥＤ３２２」と称する）と、同じく６個のＬＥＤ３２３ａ〜３２３ｆ（これらを区別しないときは「ＬＥＤ３２３」と称する）が設置される。ＬＥＤ３２２，３２３は、その前面（スピーカーランプ基板３２０の基板面と平行となる面）が発光面となるフロントビュー型のチップＬＥＤである（砲弾型等の別タイプのＬＥＤを用いてもよい）。６個のＬＥＤ３２２ａ〜３２２ｆは、第１導光レンズ３５０用の光源であり、互いに異なる色（例えば、赤、橙、黄、緑、青、紫）の光を出力するように構成される。６個のＬＥＤ３２３ａ〜３２３ｆは、第２導光レンズ３６０用の光源であり、ＬＥＤ３２２ａ〜３２２ｆと同様に、互いに異なる色（波長）の光を出力するように構成される。スピーカーランプ基板３２０は、図２６に示すように、スピーカーランプベース部材３１０内に収容保持される。
【００９９】
スピーカーユニット３３０は、図２６に示すように、前面部に振動板３３１が配置され、この振動板３３１を振動させることにより所定の音声を出力できるように構成される。スピーカーフード３４０は、その中央部にスピーカーユニット３３０の振動板３３１が臨む開口部（図示せず）を有し、スピーカーユニット３３０の前面部を囲むように取り付け
られる。
【０１００】
第１導光レンズ３５０は、図２７に示すように、前後方向及び上下方向にそれぞれ湾曲した板状に形成され、スピーカーランプ基板３２０側に位置する入射面３５１と、曲面で形成された出射面３５２と、入射面３５１から出射面３５２に向けて所定長分だけ延びる５個のスリット状の区画溝３５３ａ〜３５３ｅ（これらを区別しないときは「区画溝３５３」と称する）を有して構成される。入射面３５１には、図３１および図３２に示すように、表面が微小な凹凸状となるようにローレット加工が施されており、ＬＥＤ３２２から入射面３５１に入射する光を均一化するよう拡散して第１導光レンズ３５０内に取り込むようになっている。第１導光レンズ３５０は、入射面３５１から内部に入射した６個のＬＥＤ３２２ａ〜３２２ｆからの各光を、主に外側面３５４及び内側面３５５（図３０を参照）の間で反射させながら出射面３５２へと導くように構成されている。なお、５個の区画溝３５３ａ〜３５３ｅは、６個のＬＥＤ３２２ａ〜３２２ｆのうち隣り合うＬＥＤ間に対応した位置にそれぞれ配置される。すなわち、区画溝３５３ａは、ＬＥＤ３２２ａとＬＥＤ３２２ｂとの間に対応した位置に設けられ、区画溝３５３ｂは、ＬＥＤ３２２ｂとＬＥＤ３２２ｃとの間に対応した位置に設けられ、区画溝３５３ｃは、ＬＥＤ３２２ｃとＬＥＤ３２２ｄとの間に対応した位置に設けられる。区画溝３５３ｄは、ＬＥＤ３２２ｄとＬＥＤ３２２ｅとの間に対応した位置に設けられ、区画溝３５３ｅは、ＬＥＤ３２２ｅとＬＥＤ３２２ｆとの間に対応した位置に設けられる。
【０１０１】
第２導光レンズ３６０は、第１導光レンズ３５０と同様に、前後方向及び上下方向にそれぞれ湾曲した板状に形成され、スピーカーランプ基板３２０側に位置する入射面３６１と、曲面で形成された出射面３６２と、入射面３６１から出射面３６２に向けて所定長分だけ延びる５個のスリット状の区画溝３６３ａ〜３６３ｅ（これらを区別しないときは「区画溝３６３」と称する）を有して構成される。入射面３６１には、第１導光レンズ３５０と同様に、表面が微小な凹凸状となるようにローレット加工が施されており、ＬＥＤ３２３から入射面３６１に入射する光を均一化するよう拡散して第２導光レンズ３６０内に取り込むようになっている。第２導光レンズ３６０は、入射面３６１から内部に入射した６個のＬＥＤ３２３ａ〜３２３ｆからの各光を、主に外側面３６４及び内側面３６５（図３０を参照）の間で反射させながら出射面３６２へと導くように構成されている。なお、５個の区画溝３６３ａ〜３６３ｅは、６個のＬＥＤ３２３ａ〜３２３ｆのうち隣り合うＬＥＤ間に対応した位置にそれぞれ配置される。すなわち、区画溝３６３ａは、ＬＥＤ３２３ａとＬＥＤ３２３ｂとの間に対応した位置に設けられ、区画溝３６３ｂは、ＬＥＤ３２３ｂとＬＥＤ３２３ｃとの間に対応した位置に設けられ、区画溝３６３ｃは、ＬＥＤ３２３ｃとＬＥＤ３２３ｄとの間に対応した位置に設けられる。区画溝３６３ｄは、ＬＥＤ３２３ｄとＬＥＤ３２３ｅとの間に対応した位置に設けられ、区画溝３６３ｅは、ＬＥＤ３２３ｅとＬＥＤ３２３ｆとの間に対応した位置に設けられる。
【０１０２】
導光レンズ保持カバー３７０は、透明な樹脂材料を用いて、図２７に示すように、全体的に鞍状に形成され、その前面中央部に、スピーカーユニット３３０の振動板３３１が臨む開口部３７１が形成されている。導光レンズ保持カバー３７０の前面両縁端部には、第１レンズカバー部３７２及び第２レンズカバー部３７３がそれぞれ形成されている。第１レンズカバー部３７２は、前面側が凸状、後面側が凹状に形成され、後面側の凹状部分に第１導光レンズ３５０の出射面３５２が収まるように構成される（図３０を参照）。同様に、第２レンズカバー部３７３は、前面側が凸状、後面側が凹状に形成され、後面側の凹状部分に第２導光レンズ３６０の出射面３６２が収まるように構成される（図３０を参照）。導光レンズ保持カバー３７０は、導光レンズ保持カバー３７０の第１レンズカバー部３７２の後側に第１導光レンズ３５０の出射面３５２が収まり、第２レンズカバー部３７３の後側に第２導光レンズ３６０の出射面３６２が収まる状態で、第１導光レンズ３５０および第２導光レンズ３６０を保持するように構成される。
【０１０３】
前カバー部材３８０は、図２７に示すように、全体的に鞍状に形成され、前面中央部に、スピーカーユニット３３０の振動板３３１が臨む開口部３８１が形成されている。この開口部３８１には、メッシュカバー３８４が取り付けられる。前カバー部材３８０前面両縁端部には、第１レンズカバー収容穴部３８２及び第２レンズカバー収容穴部３８３がそれぞれ形成されている。第１レンズカバー収容穴部３８２は、導光レンズ保持カバー３７０の第１レンズカバー部３７２が収まる形状に形成され、第２レンズカバー収容穴部３８３は、導光レンズ保持カバー３７０の第２レンズカバー部３７２が収まる形状に形成されている。前カバー部材３８０は、第１レンズカバー収容穴部３８２に第１レンズカバー部３７２が収まり、第２レンズカバー収容穴部３８３に第２レンズカバー部３７２が収まる状態で、保持カバー３７０の前面側にビス止め固定される。
【０１０４】
続いて、第１導光レンズ３５０と第２導光レンズ３６０のうち、第１導光レンズ３５０の主な機能について、より詳細に説明する。第２導光レンズ３６０は、第１導光レンズ３５０と同様の機能を有しており、詳細な図示および説明を省略する。図３３には、第１導光レンズ３５０の機能を説明するために、２点鎖線で示す仮想の区画線Ｌ１〜Ｌ７を便宜的に図示している。区画線Ｌ１は、第１導光レンズ３５０の下側端３５６に沿って延びる直線であり、区画線Ｌ７は、第１導光レンズ３５０の上側端３５６に沿って延びる直線である。区画線Ｌ２〜Ｌ６は、区画溝３５３ａ〜３５３ｅの幅方向の各中心線に、それぞれ相当する直線である。
【０１０５】
これらの区画線Ｌ１〜Ｌ７により、第１導光レンズ３５０の出射面３５２は、出射面領域３５８ａ〜３５８ｆの６個の領域に区画される。基本的な機能として第１導光レンズ３５０は、ＬＥＤ３２２ａからの色光（例えば、赤色の光）を出射面領域３５８ａに導き、ＬＥＤ３２２ｂからの色光（例えば、橙色の光）を出射面領域３５８ｂに導き、ＬＥＤ３２２ｃからの色光（例えば、黄色の光）を出射面領域３５８ｃに導くように構成されている。同様に、ＬＥＤ３２２ｄからの色光（例えば、緑色の光）を出射面領域３５８ｄに導き、ＬＥＤ３２２ｅからの色光（例えば、青色の光）を出射面領域３５８ｅに導き、ＬＥＤ３２２ｆからの色光（例えば、紫色の光）を出射面領域３５８ｆに導くように構成されている。これにより、出射面３５２が、出射面領域３５８ａ〜３５８ｆごと異なる色に発光する発光演出（「虹色発光演出」とも称する）を実行できるようになっている。このような虹色発光演出は、例えば、所定のボーナス役が当選したり成立（入賞）したりした場合など、遊技者にとって有利な状況が生じたときに行うことができる。
【０１０６】
ところで、ＬＥＤ３２２から入射面３５１に入射した光は、入射面３５１において均一化のため拡散されるので、１つの色光が所望の１つの出射面領域のみに到達するとは限らない。例えば、ＬＥＤ３２２ｄからの色光の一部が、本来到達すべき出射面領域３５８ｄには到達せずに別の出射面領域に到達し、その別の出射面領域に到達する他の色光と混じることが起きる。このような色光の混じり合い（混色）の割合が高くなると、各出射面領域３５８ａ〜３５８ｆの色の区別が曖昧となり、虹色発光演出による演出効果が低減してしまう。このような混色は、入射面３５１から出射面３５２までの距離が長くなる程生じ易くなる。
【０１０７】
第１導光レンズ３５０の入射面３５１に設けられた区画溝３５３ａ〜３５３ｅは、このような混色の割合を低減する機能を有する。例えば、図３３に模式的に示すように、ＬＥＤ３２２ｄから入射面３５１に入射した光の一部は、区画溝３５３ｃの側面または区画溝３５３ｄの側面において、第１導光レンズ３５０と空気との屈折率の違いにより反射され、出射面領域３５８ｄに集中して到達する。区画溝３５３ｃ，３５３ｄが設けられていない場合、このような光は、出射面領域３５８ｄとは異なる別の出射面領域に到達してしまい混色が生じる。このように、区画溝３５３ｃ，３５３ｄは、ＬＥＤ３２２ｄから入射面
３５１に入射した光の一部が、出射面領域３５８ｄ以外の他の出射面領域に到達して混色することを低減する機能を有する。同様に、区画溝３５３ａは、ＬＥＤ３２２ａから入射面３５１に入射した光の一部が、出射面領域３５８ａ以外の他の出射面領域に到達して混色することを低減する機能を有し、区画溝３５３ａ，３５３ｂは、ＬＥＤ３２２ｂから入射面３５１に入射した光の一部が、出射面領域３５８ｂ以外の他の出射面領域に到達して混色することを低減する機能を有し、区画溝３５３ｂ，３５３ｃは、ＬＥＤ３２２ｃから入射面３５１に入射した光の一部が、出射面領域３５８ｃ以外の他の出射面領域に到達して混色することを低減する機能を有する。また、区画溝３５３ｄ，３５３ｅは、ＬＥＤ３２２ｅから入射面３５１に入射した光の一部が、出射面領域３５８ｅ以外の他の出射面領域に到達して混色することを低減する機能を有し、区画溝３５３ｅは、ＬＥＤ３２２ｆから入射面３５１に入射した光の一部が、出射面領域３５８ｆ以外の他の出射面領域に到達して混色することを低減する機能を有する。
【０１０８】
このように区画溝３５３ａ〜３５３ｅを入射面３５１に備えた第１導光レンズ３５０によれば、ＬＥＤ３２２ａ〜３２２ｆからの各色光が出射面３５２において混色する割合を低減することが可能であり、虹色発光演出を効果的に行うことができる。なお、区画溝３５３ａ〜３５３ｅの幅や長さ、設置位置等は、ＬＥＤ３２２ａ〜３２２ｆと入射面３５１との距離や位置関係、入射面３５１と出射面３５２との距離等に応じて適宜設定することができる。また、区画溝３５３ａ〜３５３ｅにおいて、それぞれの幅や長さを変えるようにしてもよい。詳細な説明は省略するが、第２導光レンズ３６０においても、入射面３６１に区画溝３６３ａ〜３６３ｅを備えており、出射面３６２における混色の割合を低減するという点に関して、第２導光レンズ３６０は、第１導光レンズ３５０と同様の作用効果を奏する。
【０１０９】
また、図３５に示すように、第１導光レンズ３５０の入射面３５１は、スピーカーランプ基板３２０の基板面（ＬＥＤ３２２が実装される側の面）に対して平行ではなく、傾斜するように形成されている。具体的には第１導光レンズ３５０の入射面３５１は、内側面３５５側よりも外側面３５５側の方が基板面から離れるように、基板面に対し傾斜している。ここで、傾きについて言及するときの入射面３５１は、ローレット加工された各凸部の頂点を通る平面（図３５において２点鎖線で示す）と仮定する。このように入射面３５１を傾けるのは、第１導光レンズ３５０が入射面３５１側から出射面３５２側に向かうのに従って内方（外側面３５４から内側面３５５への方向）に湾曲していることに対応するためである。すなわち、このように第１導光レンズ３５０が湾曲しているため、基板面に対し入射面３５１を平行にすると、入射面３５１から第１導光レンズ３５０の内部に進入（入射）したＬＥＤ３２２からの色光のうち、外側面３５４を透過して外部に出射する（漏れ出る）光の割合が多くなる虞がある。第１導光レンズ３５０では、基板面に対し入射面３５１を上記のように傾けることにより、入射面３５１から外側面３５４に向かう光の割合を減らし、これにより、外側面３５４から漏れ出る光の割合を減少させることが可能となっている。なお、第１導光レンズ３５０において、外側面３５４から漏れ出る光が多くなると、漏れ出た光が上ランプ装置７００内に進入し、そのために上ランプ装置７００を本来とは異なる色で発光させて遊技者に違和感を生じさせたり、上ランプ装置７００における演出を阻害したりする事態が生じる虞がある。第１導光レンズ３５０によれば、このような事態が生じる可能性を低減することが可能となる。
【０１１０】
詳細な説明は省略するが、第２導光レンズ３６０においても、第１導光レンズ３５０と同様に、基板面に対し入射面３６１を傾けるように構成しており、外側面３６４から漏れ出る光の割合を減少させるという点に関して、第２導光レンズ３６０は、第１導光レンズ３５０と同様の作用効果を奏する。なお、第２導光レンズ３６０において、外側面３６４から漏れ出る光が多くなると、漏れ出た光が上サイドランプ装置８００Ｒ（上部スピーカーランプ装置３００Ｌの第２導光レンズ３６０の場合は上サイドランプ装置８００Ｌ。以
下同様）の内部に進入し、そのために上サイドランプ装置８００Ｒを本来とは異なる色で発光させて遊技者に違和感を与えたり、上サイドランプ装置８００Ｒにおける演出を阻害したりする事態が生じる虞がある。第２導光レンズ３６０によれば、このような事態が生じる可能性を低減することが可能となる。なお、以上説明した右の上部スピーカーランプ装置３００Ｒにより奏される作用効果は、左の上サイドランプ装置８００Ｌにおいても同様に奏される。
【０１１１】
＜上ランプ装置の構成＞
次に、本実施形態に係る上ランプ装置７００の構成について図３６〜図３８を追加参照して説明する。上ランプ装置７００は、図３６に示すように、上ランプベース部材７１０と、上ランプ基板７２０と、上ランプ後レンズ７３０と、上ランプ装飾シート７４０と、上ランプ前レンズ７５０とを有して構成される。上ランプ装置７００は、これらの構成要素が図示した順に互いに組み合われた状態で、前扉上部カバー枠７１の前面側に形成された上ランプ収容部７４に収容固定されるようになっている。
【０１１２】
上ランプベース部材７１０は、図３７に示すように、前面側が開放された矩形箱状に形成され、その前端縁部には、係合用凸部７１１が設けられている。係合用凸部７１１は、上ランプベース部材７１０の上側の前端縁部上面に、左右に所定の間隔を置いて２個配置される他、下側の前端縁部下面にも同様に２個（どちらも図示せず）配置される。上ランプ基板７２０は、矩形板状に形成され、その前面側に、複数のＬＥＤ７２１（一部のみに付番）が設置される。ＬＥＤ７２１は、その前面（上ランプ基板７２０の基板面と平行となる面）が発光面となるフロントビュー型のチップＬＥＤである（砲弾型等の別タイプのＬＥＤを用いてもよい）。上ランプ基板７２０は、図３７に示すように、上ランプベース部材７１０内に収容保持される。
【０１１３】
上ランプ後レンズ７３０は、図３７に示すように、前方に凸状に湾曲形成された湾曲前面部７３１と、湾曲前面部７３１の左右の端縁部にそれぞれ配置されたＵ字状の側面部７３２（図３７では右側の側面部７３２のみを図示）とを主体に構成されている。湾曲前面部７３１と側面部７３２は、透明な樹脂材料を用いて一体に形成される。湾曲前面部７３１の表面（凸側の面）の後端縁部には、前後方向に延びる溝状の案内凹部７３３が設けられる。案内凹部７３３は、上ランプ後レンズ７３０の表面の上側の後端縁部に、左右に所定の間隔を置いて２個配置される他、下側の前端縁部にも同様に２個（どちらも図示せず）配置される。案内凹部７３３の後方には、左右方向に延びるフランジ部７３４が設けられており、このフランジ部７３４には、案内凹部７３３と略同等の幅を有し前後に貫通する差込穴部７３５（図３８を参照）が形成されている。また、湾曲前面部７３１の表面の後端縁部には、係合凸部７３６が設けられる。係合用凸部７３６は、上ランプ後レンズ７３０の表面の後端縁部に、左右に所定の間隔を置いて２個配置される他、下側の後端縁部にも同様に２個（どちらも図示せず）配置される。
【０１１４】
上ランプ装飾シート７４０は、その表面および裏面の少なくとも一方に模様や文字等の装飾絵柄が印刷等により設けられた、可撓性および透光性を有する紙片状の部材であり、図３７に示すように、上ランプ後レンズ７３０の湾曲前面部７３１の形状に倣うように前方に凸状に湾曲させることが可能に構成されている。上ランプ装飾シート７４０の長手方向の端縁部（図３７に示すように湾曲させたときの後端縁部）には、舌片状の案内凸部７４１が設けられる。案内凸部７４１は、上ランプ装飾シート７４０を湾曲させたときの上側の後端縁部に、左右に所定の間隔を置いて２個配置される他、下側の後端縁部にも同様に２個（右側の案内凸部７４１のみを図示）配置される。
【０１１５】
上ランプ前レンズ７５０は、図３７に示すように、前方に凸状に湾曲形成された湾曲前面部７５１と、湾曲前面部７５１の左右の端縁部にそれぞれ配置されたＵ字状の側面部７
５２（図３７では右側の側面部７５２のみを図示）とを主体に構成されている。湾曲前面部７５１と側面部７５２は、透明な樹脂材料を用いて一体に形成される。湾曲前面部７５１は、上ランプ後レンズ７３０の湾曲前面部７３１と略同等の湾曲形状とされる。湾曲前面部７５１の後端縁部には、後方に突出する第１の係合凸部７５３と、同じく後方に突出する第２の係合凸部７５４が設けられる。第１の係合凸部７５３は、上ランプ前レンズ７５０の上側の後端縁部に、左右に所定の間隔を置いて２個配置される他、下側の前端縁部にも同様に２個（右側の第１の係合凸部７５３のみを図示）配置される。第２の係合凸部７５４は、上ランプ前レンズ７５０の上側の後端縁部に、左右に所定の間隔を置いて２個配置される他、下側の前端縁部にも同様に２個（どちらも図示せず）配置される。第１の係合凸部７５３には、上ランプベース部材７１０係合用凸部７１１と係合可能な係合穴部７５３ａが形成され、第２の係合凸部７５４には、上ランプ後レンズ７３０の係合用凸部７３６と係合可能な係合穴部７５４ａが形成される。
【０１１６】
上ランプ前レンズ７５０は、湾曲前面部７５１の裏面側に上ランプ後レンズ７３０の湾曲前面部７３１が収まるように、前方から上ランプ後レンズ７３０に被せ、第２の係合凸部７５４の係合穴部７５４ａを、上ランプ後レンズ７３０の係合用凸部７３６と係合させることにより、上ランプ後レンズ７３０に係合固定される。また、上ランプ前レンズ７５０は、上ランプ後レンズ７３０と係合した状態で、上ランプベース部材７１０の前面側を覆うようにして、第１の係合凸部７５３の係合穴部７５３ａを、上ランプベース部材７１０の係合用凸部７１１と係合させることにより、上ランプベース部材７１０に係合固定される。
【０１１７】
上ランプ装飾シート７４０は、上ランプ前レンズ７５０を上ランプ後レンズ７３０に係合させる際に、上ランプ前レンズ７５０と上ランプ後レンズ７３０との間に挟まれた状態で所定位置に固定される。具体的な手順としては、まず、上ランプ装飾シート７４０を少し湾曲させながら上ランプ装飾シート７４０の案内凸部７４１が上ランプ後レンズ７３０の案内凹部７３３に嵌まり込むように、上ランプ装飾シート７４０を上ランプ後レンズ７３０に対し位置決めセットする。そして、上ランプ装飾シート７４０が位置決めセットされた上ランプ後レンズ７３０の前面側に上ランプ前レンズ７５０被せる、あるいは、上ランプ装飾シート７４０が位置決めセットされた上ランプ後レンズ７３０を上ランプ前レンズ７５０の背面側に押し込むことにより、上ランプ前レンズ７５０と上ランプ後レンズ７３０を係合させる。
【０１１８】
このとき、上ランプ装飾シート７４０は、上ランプ前レンズ７５０と上ランプ後レンズ７３０との間に挟み込まれることによって、上ランプ後レンズ７３０の湾曲前面部７３１の形状に倣うように湾曲変形する。その過程において、上ランプ装飾シート７４０は、案内凸部７４１が案内凹部７３３に沿って左右方向への移動は規制されながら後方へと移動し、さらに、案内凸部７４１の先端部が、案内凹部７３３の後方に位置する差込穴部７３５内に差し込まれることにより、所定位置に固定される。このように、上ランプ装飾シート７４０に案内凸部７４１を設け、上ランプ後レンズ７３０に案内凹部７３３を設けることにより、上ランプ前レンズ７５０を上ランプ後レンズ７３０に係合させる際に上ランプ装飾シート７４０を、位置ずれを起こすことなく容易に所定位置に固定配置することができる。そのため、上ランプ装置７００の組立作業性が向上する。なお、上ランプ後レンズ７３０側に位置決め用のピン（ボス）を立設するとともに、上ランプ装飾シート７４０側にそのピンと係合する穴部を設け、ピンと穴部を係合させることにより、上ランプ前レンズ７５０を上ランプ後レンズ７３０に係合させる際に上ランプ装飾シート７４０の位置ずれを防止することも考えられる。しかし、このような構成の場合、上ランプ後レンズ７３０側に設ける位置決め用のピンが組立作業中等において破損し易いという問題が生じるので、好ましくない。
【０１１９】
以上のように構成される上ランプ装置７００は、図２５に示すように、左右の上部スピーカーランプ装置３００Ｌ，３００Ｒの間に近接して設置される。既述したように上部スピーカーランプ装置３００Ｌ，３００Ｒでは、第１導光レンズ３５０および第２導光レンズ３６０を用いた虹色発光演出が行われる。その演出時の色光が第１導光レンズ３５０から漏れ出て上ランプ装置７００内に進入する虞がある。このような漏れ光が、上ランプ後レンズ７３０の側面部７３２内に進入すると、進入した光が上ランプ後レンズ７３０の湾曲前面部７３１と側面部７３２との境界部分（エッジ部分）に導かれ、そのエッジ部分が発光する現象が起きる虞がある。同様に、第１導光レンズ３５０からの漏れ光が、上ランプ前レンズ７５０の側面部７５２内に進入すると、進入した光が上ランプ前レンズ７５０の湾曲前面部７５１と側面部７５２との境界部分（エッジ部分）に導かれ、そのエッジ部分が発光する現象が起きる虞がある。このような発光現象が起きると、第１導光レンズ３５０による虹色発光演出の妨げとなり演出効果が低減する。
【０１２０】
上ランプ装置７００では、上ランプ後レンズ７３０の側面部７３２がＵ字状、すなわち、側面部７３２の後部から中間部までが大きく切り欠かれた形状に形成されているので、このような切り欠きを行わない場合に比べて、側面部７３２の面積が小さくなっている。そのため、第１導光レンズ３５０からの漏れ光が、側面部７３２内に進入することを大きく抑制することができ、これにより、上述のエッジ部分における発光現象が起きることを防止することが可能となっている。同様に、上ランプ装置７００では、上ランプ前レンズ７５０の側面部７５２についても、側面部７５２の後部から中間部までが大きく切り欠かれた形状に形成されている。そのため、第１導光レンズ３５０からの漏れ光が、側面部７５２内に進入することを大きく抑制することができ、これにより、上述のエッジ部分における発光現象が起きることを防止することが可能となっている。
【０１２１】
＜上サイドランプ装置の構成＞
次に、本実施形態に係る左右の上サイドランプ装置８００Ｌ，８００Ｒのうち、左の上サイドランプ装置８００Ｌの構成について図３９〜図４０を追加参照して説明する。右の上サイドランプ装置８００Ｒは、左の上サイドランプ装置８００Ｌに対し左右対称に形成されている他は、左の上サイドランプ装置８００Ｌと同様の構成であり、詳細な図示および説明を省略する。
【０１２２】
上サイドランプ装置８００Ｌは、図３９に示すように、上サイドランプベース部材８１０と、上サイドランプ基板８２０と、上サイドランプ後レンズ８３０と、上サイドランプ中レンズ８４０と、上サイドランプ装飾シート８５０と、上サイドランプ前レンズ８６０とを有して構成される。上サイドランプ装置８００Ｌは、これらの構成要素が図示した順に互いに組み合われた状態で、前扉上部カバー枠７１の前面側に形成された上サイドランプ収容部７５に収容固定されるようになっている。
【０１２３】
上サイドランプベース部材８１０は、図４０に示すように、前面側が開放された矩形箱状に形成されている。上サイドランプ基板８２０は、矩形板状に形成され、その前面側に、複数のＬＥＤ８２１（一部のみに付番）が設置される。ＬＥＤ８２１は、その前面（上サイドランプ基板８２０の基板面と平行となる面）が発光面となるフロントビュー型のチップＬＥＤである（砲弾型等の別タイプのＬＥＤを用いてもよい）。上サイドランプ基板８２０は、図４０に示すように、上サイドランプベース部材７１０内に収容保持される。
【０１２４】
上サイドランプ後レンズ８３０は、図４０に示すように、全体的には鞍状に湾曲形成されるとともに局所的には複雑な凹凸状に形成された湾曲前面部８３１と、湾曲前面部８３１の上下の端縁部にそれぞれ配置されたＵ字状の側面部８３２（図４０では上側の側面部８３２のみを図示）とを主体に構成されている。湾曲前面部８３１と側面部８３２は、透明な樹脂材料を用いて一体に形成される。上サイドランプ中レンズ８４０は、図４０に示
すように、鞍状に湾曲形成された湾曲前面部８４１と、湾曲前面部８４１の上下の端縁部にそれぞれ配置されたＵ字状の側面部８４２（図４０では上側の側面部８４２のみを図示）とを主体に構成されている。湾曲前面部８４１と側面部８４２は、透明な樹脂材料を用いて一体に形成される。
【０１２５】
上サイドランプ装飾シート８５０は、鞍状に湾曲形成された湾曲装飾部８５１と、湾曲装飾部８５１の上下の端縁部にそれぞれ配置された半円状の側面部８５２（図４０では上側の側面部８５２のみを図示）を有して構成されている。上サイドランプ装飾シート８５０は、湾曲装飾部８５１の表面および裏面の少なくとも一方に模様や文字等の装飾絵柄が印刷等により設けられた透光性を有する紙片状の部材である。上サイドランプ前レンズ８６０は、図４０に示すように、鞍状に湾曲形成された湾曲前面部８６１と、湾曲前面部８６１の上下の端縁部にそれぞれ配置されたＵ字状の側面部８６２（図４０では上側の側面部８６２のみを図示）とを主体に構成されている。湾曲前面部８６１と側面部８６２は、透明な樹脂材料を用いて一体に形成される。湾曲前面部８６１は、上サイドランプ中レンズ８４０の湾曲前面部８４１と略同等の湾曲形状とされる。
【０１２６】
以上のように構成される上サイドランプ装置８００Ｌは、図２５に示すように、左の上部スピーカーランプ装置３００Ｌの下側に近接設置される。既述したように上部スピーカーランプ装置３００Ｌでは虹色発光演出が行われ、その演出時の色光が第２導光レンズ３６０から漏れ出て上サイドランプ装置８００Ｌ内に進入する虞がある。このような漏れ光が、上サイドランプ後レンズ８３０の側面部８３２内に進入すると、進入した光が上サイドランプ後レンズ８３０の湾曲前面部８３１と側面部８３２との境界部分（エッジ部分）に導かれ、そのエッジ部分が発光する現象が起きる虞がある。また、第２導光レンズ３６０からの漏れ光が、上サイドランプ中レンズ８４０の側面部８４２内に進入すると、進入した光が上サイドランプ中レンズ８４０の湾曲前面部８４１と側面部８４２との境界部分（エッジ部分）に導かれ、そのエッジ部分が発光する現象が起きる虞がある。同様に、第２導光レンズ３６０からの漏れ光が、上サイドランプ前レンズ８６０の側面部８６２内に進入すると、進入した光が上サイドランプ前レンズ８６０の湾曲前面部８６１と側面部８６２との境界部分（エッジ部分）に導かれ、そのエッジ部分が発光する現象が起きる虞がある。このような発光現象が起きると、第２導光レンズ３６０による虹色発光演出の妨げとなり演出効果が低減する。
【０１２７】
上サイドランプ装置８００Ｌでは、上サイドランプ後レンズ８３０の側面部８３２がＵ字状、すなわち、側面部８３２の後部から中間部までが大きく切り欠かれた形状に形成されているので、このような切り欠きを行わない場合に比べて、側面部８３２の面積が小さくなっている。そのため、第２導光レンズ３６０からの漏れ光が、側面部８３２内に進入することを大きく抑制することができ、これにより、上述のエッジ部分における発光現象が起きることを防止することが可能となっている。また、上サイドランプ装置８００Ｌでは、上サイドランプ中レンズ８４０の側面部８４２についても、側面部８４２の後部から中間部までが大きく切り欠かれた形状に形成されている。そのため、第２導光レンズ３６０からの漏れ光が、側面部８４２内に進入することを大きく抑制することができ、これにより、上述のエッジ部分における発光現象が起きることを防止することが可能となっている。同様に、上サイドランプ装置８００Ｌでは、上サイドランプ前レンズ８６０の側面部８６２についても、側面部８６２の後部から中間部までが大きく切り欠かれた形状に形成されている。そのため、第２導光レンズ３６０からの漏れ光が、側面部８６２内に進入することを大きく抑制することができ、これにより、上述のエッジ部分における発光現象が起きることを防止することが可能となっている。なお、右の上サイドランプ装置８００Ｒにおいても、左の上サイドランプ装置８００Ｒと同様の作用効果を奏する。
【０１２８】
＜発光演出装置の構成＞
次に、本実施形態に係る発光演出装置４００の構成について図４１〜図５２を追加参照して説明する。発光演出装置４００は、図４２に示すように、ベース枠４１０と、拡散パネル４２０と、第１〜第４の発光演出基板４３０Ａ〜４３０Ｄと、第１〜第４の発光演出ブロック４４０Ａ〜４４０Ｄと、装飾シート４５０と、前面パネル４６０と、前上枠４７０を有して構成される。発光演出装置４００は、これらの構成要素が図示した順に互いに組み合われた状態（図４１を参照）で、前上枠４７０が前方側に位置するように前扉２の後面側に取り付けられる（図３および図５を参照）。
【０１２９】
ベース枠４１０は、図４３および図４４に示すように、矩形枠状の外枠部４１１と、外枠部４１１の上半部に設けられ前方が開放された矩形箱状の第１収容部４１２と、外枠部４１１の下端部に設けられ前方が開放された矩形箱状の第２収容部４１３とを有して構成される。外枠部４１１、第１収容部４１２および第２収容部４１３は、樹脂材料を用いて一体に形成される。第１収容部４１２の底面部には、３本の支持桟４１４により互いに区分された矩形状の４個の開口部（「リール照明用開口４１５」と称する）が設けられている。また、第１収容部４１２の後面部には、第１〜第３の発光演出基板４３０Ａ〜４３０Ｃの各後面がそれぞれ臨む基板用開口４１６Ａ〜４１６Ｃが設けられている。
【０１３０】
第１収容部４１２の下側の前端縁部には、前後方向に貫通する３個の差込穴部４１２ａ（図４３を参照）が左右方向に所定間隔を置いて配置されている。図４４に示すように、３本の支持桟４１４のうち、中央の支持桟４１４の後面部には、後方へ突出するビス止め用ボス部４１４ａが設けられ、左右の支持桟４１４の後面部には、後方へ突出する係合片４１４ｂが設けられている。第１収容部４１２と第２収容部４１３との間には、矩形状のリール窓用開口４１７が形成されている。ベース枠４１０は、リール窓用開口４１７を通してスロットマシン１の内部構造が視認されないように、各リール１０２ａ〜１０２ｄの前方周囲を覆うようになっている。
【０１３１】
拡散パネル４２０は、前後方向に折曲形成されて左右方向に延びるパネル基部４２１と、パネル基部４２１の後端縁部に沿って左右方向に延びるパネル後壁部４２２を有して構成される。パネル基部４２１の前端縁部には、前方に突出する３個の差込片４２３（図４３を参照）が左右方向に所定間隔を置いて配置されている。パネル後壁部４２２の中央部には、ビス止め用ボス受け部４２４が設けられ、その左右両側には、前後方向に貫通する係合穴部４２５が設けられている。拡散パネル４２０は、入射した光を均一化するよう拡散して透過させる樹脂材料（色は乳白色等の適宜な色とすることができる）を用いて構成される（樹脂製のパネル部材に透光拡散性を有するシートを組み合わせて構成したり、樹脂材にシボ加工を施して構成したりしてもよい）。
【０１３２】
拡散パネル４２０は、ベース枠４１０のリール照明用開口４１５を後下方から覆うようにして、第１収容部４１２の底面部下側に取り付けられる。より具体的には拡散パネル４２０は、パネル基部４２１の前端縁部に設けられた各差込片４２３がベース枠４１０の各差込穴部４１２ａ内に後方より差し込まれ、さらに、パネル後壁部４２２に設けられた各係合穴部４２５内にベース枠４１０の各係合片４１４ｂが前方より差し込まれて両者が係合することにより、ベース枠４１０に係止される。また、パネル後壁部４２２に設けられたビス止め用ボス受け部４２４とベース枠４１０のビス止め用ボス部４１４ａとが嵌合または対向した状態において両者がビス止めされることにより、拡散パネル４２０はベース枠４１０に固定される。
【０１３３】
第１〜第４の発光演出基板４３０Ａ〜４３０Ｄは、図４５に示すように、それぞれ矩形板状に形成されている。第２の発光演出基板４３０Ｂと第３の発光演出基板４３０Ｃは、互いに左右対称の形状に形成されており、第１の発光演出基板４３０Ａは、第２および第２の発光演出基板４３０Ｂ，４３０Ｃよりも大きく形成されている。第４の発光演出基板
４３０Ｄは、左右方向に細長く形成されている。第１〜第４の発光演出基板４３０Ａ〜４３０Ｄの各前面には、複数のＬＥＤ４３１（一部のみに付番）が設置される。ＬＥＤ４３１は、その前面（第１〜第４の発光演出基板４３０Ａ〜４３０Ｄの各基板面と平行となる面）が発光面となるフロントビュー型のチップＬＥＤである（砲弾型等の別タイプのＬＥＤを用いてもよい）。また、第１〜第３の発光演出基板４３０Ａ〜４３０Ｃの各後面（背面）の下部には、複数のＬＥＤ４３２が設置される。ＬＥＤ４３２は、その下方を向く側面（図４８を参照）が発光面となるサイドビュー型のチップＬＥＤである。
【０１３４】
第１の発光演出ブロック４４０Ａは、樹脂材料を用いて、前方および上方が開放された楕円形箱状に形成され、前方視において山形状の区画壁４４１により、上下２つの領域に区画されている。第１の発光演出ブロック４４０Ａの後面部（背面部）は、前方視において多角形状の複数の反射部４４２（図４５等において一部のみに付番）に区画されている。各々の反射部４４２は、前方に向けて凹面状に形成され、その中央部に第１の発光演出基板４３０ＡのＬＥＤ４３１が臨む円形のＬＥＤ用開口４４３（図４５等において一部のみに付番）が設けられる。反射部４４２は、ＬＥＤ４３１からの光を前方に向けて反射するように構成されている（以下、同様）。第１の発光演出基板４３０Ａは、第１の発光演出ブロック４４０Ａの後面部裏側（後側）に取り付けられる。以下、第１の発光演出基板４３０Ａが取り付けられた状態の第１の発光演出ブロック４４０Ａのことを、第１の発光演出ユニット４８０Ａ（図４９を参照）と称する。
【０１３５】
第２の発光演出ブロック４４０Ｂは、樹脂材料を用いて、前方、上方および右方が開放された矩形箱状（ただし右側部は曲線状）に形成されている。第１の発光演出ブロック４４０Ａと同様に、第２の発光演出ブロック４４０Ｂの後面部（背面部）は、前方視において多角形状の複数の反射部４４２（図４５等において一部のみに付番）に区画されている。各々の反射部４４２は、前方に向けて凹面状に形成され、その中央部に第２の発光演出基板４３０ＢのＬＥＤ４３１が臨む円形のＬＥＤ用開口４４３（図４５等において一部のみに付番）が設けられる。第２の発光演出基板４３０Ｂは、第２の発光演出ブロック４４０Ｂの後面部裏側（後側）に取り付けられる。以下、第２の発光演出基板４３０Ｂが取り付けられた状態の第２の発光演出ブロック４４０Ｂのことを、第２の発光演出ユニット４８０Ｂ（図４９を参照）と称する。
【０１３６】
第３の発光演出ブロック４４０Ｃは、樹脂材料を用いて、前方、上方および左方が開放された矩形箱状（ただし左側部は曲線状）に形成されている。第３の発光演出ブロック４４０Ｃは、第２の発光演出ブロック４４０Ｂに対し左右対称の形状を有している。第１の発光演出ブロック４４０Ａと同様に、第２の発光演出ブロック４４０Ｃの後面部（背面部）は、前方視において多角形状の複数の反射部４４２（図４５等において一部のみに付番）に区画されている。各々の反射部４４２は、前方に向けて凹面状に形成され、その中央部に第３の発光演出基板４３０ＣのＬＥＤ４３１が臨む円形のＬＥＤ用開口４４３（図４５等において一部のみに付番）が設けられる。第３の発光演出基板４３０Ｃは、第３の発光演出ブロック４４０Ｃの後面部裏側（後側）に取り付けられる。以下、第３の発光演出基板４３０Ｃが取り付けられた状態の第３の発光演出ブロック４４０Ｃのことを、第３の発光演出ユニット４８０Ｃ（図４９を参照）と称する。
【０１３７】
第１〜第３の発光演出ブロック４４０Ａ，４４０Ｂ，４４０Ｃは前述したように少なくとも底面部を有した形状に構成されており、これらの底面部は、リール照明用開口４１５を覆うように構成されている。そのため、各発光演出ブロック４４０Ａ，４４０Ｂ，４４０Ｃの内部で発光した光が、発光演出ブロック４４０Ａ，４４０Ｂ，４４０Ｃ内で様々な方向に反射したとしても、発光演出ブロック４４０Ａ，４４０Ｂ，４４０Ｃの正面側（遊技者側）に発せられた光が、リール照明用開口４１５を通じて、リール１０２ａ〜１０２ｄの上部に到達しないように構成されている。
【０１３８】
第４の発光演出ブロック４４０Ｄは、樹脂材料を用いて、前方が開放された矩形箱状に形成されている。第４の発光演出ブロック４４０Ｄは、左右方向に並ぶ４個の反射部４４２を有している。各々の反射部４４２は、前方に向けて凹状の角錐面で構成され、その後面部（背面部）に第４の発光演出基板４３０ＤのＬＥＤ４３１が臨む矩形のＬＥＤ用開口４４３（図４５等において一部のみに付番）が２個設けられる。第４の発光演出基板４３０Ｄは、第４の発光演出ブロック４４０Ｄの後面部裏側に取り付けられる。以下、第４の発光演出基板４３０Ｄが取り付けられた状態の第４の発光演出ブロック４４０Ｄのことを、第４の発光演出ユニット４８０Ｄ（図４９を参照）と称する。
【０１３９】
装飾シート４５０は、透光性を有する矩形紙片状の部材であり（図４２を参照）、ベース枠４１０の第１収容部４１２、第２収容部４１３およびリール窓用開口４１７を前方から覆うように、ベース枠４１０の外枠部４１１に取り付けられる。装飾シート４５０において、第１収容部４１２と対向する領域には、第１〜第３の発光演出ユニット４８０Ａ〜４８０Ｃによる演出内容に対応した模様や文字等の装飾絵柄が、装飾シート４５０の表面および裏面の少なくとも一方に印刷等により設けられる。同様に、装飾シート４５０において、第２収容部４１３と対向する領域には、第４の発光演出ユニット４８０Ｄによる演出内容に対応した模様や文字等の装飾絵柄が、装飾シート４５０の表面および裏面の少なくとも一方に印刷等により設けられる。また、装飾シート４５０において、リール窓用開口４１７と対向する領域は、リール窓用開口４１７を通して各リール１０２ａ〜１０２ｄの図柄を視認できるように構成されている。
【０１４０】
前面パネル４６０は、矩形板状の透明な樹脂製パネルであり、ベース枠４１０の第１収容部４１２、第２収容部４１３およびリール窓用開口４１７を前方から覆うように、装飾シート４５０を介してベース枠４１０の前部に設置される。なお、前面パネル４６０のリール窓用開口４１７と対応する領域、装飾シート４５０のリール窓用開口４１７と対応する領域およびリール窓用開口４１７により、リール窓Ｗ（図１を参照）が構成される。
【０１４１】
前上枠４７０は、コの字形板状の樹脂製部材であり、前面パネル４６０および装飾シート４５０をベース枠４１０との間に挟み込む状態で、ベース枠４１０の前面上部に取り付けられる。
【０１４２】
以上のように構成される発光演出装置４００（第１〜第４の発光演出基板４３０Ａ〜４３０Ｄ）は、副制御装置６００により制御されて、遊技状況に応じた種々の演出を行う。第１〜第３の発光演出ユニット４８０Ａ〜４８０Ｃは、ベース枠４１０の第１収容部４１２に収容されて使用される。第１〜第３の発光演出ユニット４８０Ａ〜４８０Ｃは、互いに独立しているので、いずれかの演出ユニットに故障等の不具合が生じた場合には、個別に交換することができる。また、遊技機の仕様等に応じて、第１〜第３の発光演出ユニット４８０Ａ〜４８０Ｃの一部または全部を別の演出ユニット（図示せず）に変更することが可能となっている。変更する別の演出ユニットは単独で構成されるものでもよいし、複数の演出ユニットが組み合わされて構成されるものであってもよい。
【０１４３】
別の演出ユニットとしては、発光演出ユニット（ランプユニット）に限られるものではなく、スピーカー等を有する音声演出ユニット（スピーカーユニット）や液晶表示パネル等を有する画像演出ユニット、可動役物等を有する役物演出ユニット等であってもよい。別の演出ユニットとして複数の演出ユニットを組み合わせる場合、各演出ユニットは左右方向に分割される組合せのものに限定されるものではなく、上下方向に分割される組合せのものや、コ字（凹字）形の演出ユニットとその内側に配置される矩形状の演出ユニットを組み合わせたものなど、種々の組合せのものを使用することができる。なお、演出ユニットを変更する場合は、それに応じて装飾シート４５０や前面パネル４６０を変更するよ
うにしてもよい。このように、ベース枠４１０の第１収容部４１２に収容される演出ユニットを変更可能に構成することにより、前扉２におけるリール窓Ｗの上側の領域で実行する演出の内容を、遊技機の仕様等に応じて大きく変更することが可能となる。
【０１４４】
第１〜第３の発光演出基板４３０Ａ〜４３０Ｃの各後面下部に配置されたＬＥＤ４３２は、図５０および図５１に示すように、第１〜第３の発光演出ユニット４８０Ａ〜４８０Ｃがベース枠４１０の第１収容部４１２に収容された状態において、下方に向けて発光し、ベース枠４１０のリール照明用開口４１５および拡散パネル４２０を通して、第１収容部４１２の下方の領域を照明する。ＬＥＤ４３２は、図５２に示すように、発光演出装置４００が前扉２の裏側に取り付けられた状態（前扉２は閉じた状態）において、リール１０２ａ〜１０２ｄ（図５２ではリール１０２ｂを図示）の前部上方に位置する。そのため、ＬＥＤ４３２によって、リール１０２ａ〜１０２ｄの前上部を、遊技者が視認できるように照明することが可能である。
【０１４５】
なお、本実施形態では、ベース枠４１０の演出ユニット収容部（第１収容部４１２）の底面部にリール照明用開口４１５が形成され、拡散パネル４２０がベース枠４１０の背面より取り付けられるよう構成したが、これに限定されるものではない。リールの上部をＬＥＤ４３２で照らすことが可能であれば、拡散シート材等を第１収容部４１２の底面部に設置してリール照明用開口４１５を覆うように構成するなど、第１収容部４１２に収容される演出ユニットおよび演出ユニットの制御基板から発せられる光を透光可能な透光部として、リール照明用開口４１５の構成を適宜変更することが可能である。
【０１４６】
また、本実施形態では、演出ユニットの制御基板（発光演出基板４３０ａ〜４３０ｃ）の背面側に設けられたサイドビューＬＥＤにて、リール照明用開口４１５より各リール１０２ａ〜１０２ｄを照らすように構成したが、取り付けられる演出ユニットの構成や制御基板の態様によっては、リール照明用開口４１５から照明するサイドビューＬＥＤは制御基板の前面側（遊技者側）に取り付けられるものであってもよい。また、制御基板の前面側に配置したフロントビューＬＥＤの光を、演出ユニットの演出ブロックの底面裏面側において反射させてリールを照明する構成とすることによって、リール照明用のＬＥＤからリールまでの距離を長くし、これにより光の拡散度合いを均一化し易くするよう変更することも可能である。
【０１４７】
従来の遊技機（スロットマシン）は、前扉裏側のリールの前部上方の領域（図５２において２点鎖線の楕円形で囲んだ辺りの領域）に、リール前上部照明用のランプユニット（図示せず）を配置し、このランプユニットによりリールの前上部を照明するように構成されている。ランプユニットを配置するスペースには演出ユニットを配置することができない。そのため、従来の遊技機では、前扉におけるリール窓の上側の領域のうち、リール窓の上端縁部に近接した領域は演出表示領域として有効利用することができない。これに対し本実施形態では、そのようなランプユニットを配置する必要がないので、前扉２におけるリール窓Ｗの上側の領域を、リール窓Ｗの上端縁部に近接した領域まで含めて演出表示領域として有効利用することができる。
【０１４８】
＜前扉の構成＞
次に、本実施形態に係る前扉２の構成について図５３〜図５４を追加参照して説明する。前扉２は、図５３および図５４に示すように、前扉ベース部材９１０と、発光演出装置４００と、前扉上部カバーユニット９３０と、下パネルカバー３１と、操作スイッチアッセンブリ９５０とを有して構成される。前扉２は、これらの構成要素が図示した順に互いに組み合われた状態（図５を参照）で、筐体５に対し開閉可能に取り付けられる。
【０１４９】
前扉ベース部材９１０は、矩形枠状の前扉ベース枠９１１と、操作卓ベース部９１２と
、下パネルベース部９１３と、受皿ユニットベース部９１４とを有して構成される。前扉ベース枠９１１、操作卓ベース部９１２、下パネルベース部９１３および受皿ユニットベース部９１４は、樹脂材料を用いて一体に形成される。前扉ベース枠９１１の上部内側には、矩形状の開口部（「前扉ベース部開口９１５」と称する）が形成されており、この前扉ベース部開口９１５を通して、筐体５内に収容される各リール１０２ａ〜１０２ｄの図柄変動を視認できるようになっている。
【０１５０】
操作卓ベース部９１２は、操作卓２０を構成するものであり、ＢＥＴスイッチユニット２３や演出スイッチユニット２４、スタートレバー２５等の操作スイッチ機器が取り付けられるように構成されている。操作卓ベース部９１２の右側部には、シリンダー錠２８が取り付けられる円筒状のシリンダー錠取付け部９１２が設けられ、操作卓ベース部９１２の前面中央部には、操作スイッチアッセンブリ９５０（特にストップスイッチユニット２６）が取り付けられるための開口部（「操作スイッチ取付用開口９１２ｂ」と称する）が設けられている。なお、操作卓ベース部９１２は、操作スイッチアッセンブリ９５０を取り付けるのに必要なベース部側操作スイッチ取付け部として機能する。
【０１５１】
下パネルベース部９１３は、操作卓ベース部９１２と受皿ユニットベース部９１４との間に設けられる。下パネルベース部９１３の前面部には、下パネル照明灯用の制御基板９１６が設置され、下パネルベース部９１３の後面部（背面部）には、メダルセレクタ３５等が設置される。発光演出装置４００は、前述した構成のものであり、前扉上部カバーユニット９３０（特に前扉上部カバー枠７１）の裏面側に取り付けられる。
【０１５２】
前扉上部カバーユニット９３０は、下部が開放したコ字状の前扉上部カバー枠７１と、前扉上部カバー枠７１に設けられた、上ランプ装置７００、左右の上部スピーカーランプ装置３００Ｌ，３００Ｒ、左右の上サイドランプ装置８００Ｌ，８００Ｒ、左右のサイドランプ装飾部材１６Ｌ，１６Ｒおよび左右の下サイドランプ装置９０Ｌ，９０Ｒを有して構成される。前扉上部カバー枠７１には、上部スピーカーランプ装置３００Ｌ，３００Ｒから出力された音を通すことが可能な開口部７３（図２６を参照）が設けられている。前扉上部カバー枠７１およびサイドランプ装飾部材１６Ｌ，１６Ｒは、樹脂材料を用いて、それぞれ所定の色（互いに異なる色であっても同じ色であってもよい）に成型される。
【０１５３】
下パネルカバー３１は、前面部３１ａ、左右の側面部３１ｂ，３１ｃおよび下面部３１ｄを有して構成される。下パネルカバー３１は、樹脂材料を用いて、所定の色に成型される。
【０１５４】
操作スイッチアッセンブリ９５０は、操作卓パネル２１と、操作卓パネル２１に取り付けられたストップスイッチユニット２６とを有して構成される。操作卓パネル２１の右側部には、シリンダー錠２８が挿通される円筒状のシリンダー錠取付け穴部２１ａが設けられ、操作卓パネル２１の裏面側には、演出スイッチユニット２４や操作スイッチ関連部材９６１が設置される。この演出スイッチユニット２４および操作スイッチ関連部材９６１を操作スイッチアッセンブリ９５０に含めてもよい。操作卓パネル２１は、樹脂材料を用いて、所定の色に成型される。以下、前扉上部カバー枠７１、サイドランプ装飾部材１６Ｌ，１６Ｒ、下パネルカバー３１および操作卓パネル２１を総称して前扉カバー部９７０と称する。
【０１５５】
前扉カバー部９７０（前扉上部カバー枠７１、サイドランプ装飾部材１６Ｌ，１６Ｒ、下パネルカバー３１および操作卓パネル２１）の裏面側には、複数のカバー部側嵌合部（図示せず）が設けられる。一方、前扉ベース部材９１０（主に前扉ベース枠９１１）には、各々のカバー部側嵌合部と嵌合する複数のベース部側嵌合部が設けられる。前扉カバー部９７０は、複数のカバー部側嵌合部を複数のベース部側嵌合部とそれぞれ嵌合させるこ
とにより、前扉ベース部材９１０に取り付けられるように構成される。
【０１５６】
スロットマシン１で遊技を行うと、前扉カバー部９７０に静電気が発生（帯電）することがある。特に、遊技者が接触する機会の多い操作卓パネル２１は静電気が発生し易い。静電気が発生すると、前扉カバー部９７０に取り付けられる発光演出装置４００や上ランプ装置７００、上部スピーカーランプ装置３００Ｌ，３００Ｒ等に用いられる電子部品（電気部品を含む）が、静電気の影響で誤作動したり故障したりする虞がある。また、発光演出装置４００において液晶パネルを用いた場合、その液晶パネルが静電気により損傷する可能性がある。
【０１５７】
このような静電気対策として、前扉カバー部９７０および前扉ベース部材９１０の全体にメッキ処理を行うことにより、両者が組み付けられたときに両者が電気的に接続され、前扉カバー部９７０で発生した静電気を、前扉ベース部材９１０およびアース線（図示せず）等を介してスロットマシン１の外部に逃がすことも考えられる。しかし、前扉カバー部９７０の表面（前扉ベース部材９１０に組み付けたときに外部に露出する面）にもメッキ処理を行うと、メッキ処理の施工不良があった場合にそれが目立ち易くなる。また、メッキ処理を行った表面に塗装等の処理を行う場合、塗装ムラ等の不具合が生じ易くなる。そのため、前扉カバー部９７０の製造工程における歩留まり率が低下し、それが原因で前扉２の製造コストが大きく上昇する虞がある。
【０１５８】
そこで、本実施形態では、前扉カバー部９７０（前扉上部カバー枠７１、サイドランプ装飾部材１６Ｌ，１６Ｒ、下パネルカバー３１および操作卓パネル２１）の表面にはメッキ処理を行わず、裏面（前扉ベース部材９１０に組み付けたときに隠れる面で、カバー部側嵌合部が形成された部分を含む）にメッキ処理を行う。具体的には、例えば、前扉上部カバー枠７１の裏面全域、サイドランプ装飾部材１６Ｌ，１６Ｒの裏面全域、下パネルカバー３１の側面部３１ｂ，３１ｃの裏面全域および操作卓パネル２１の裏面全域にメッキ処理を行う（メッキ処理を行う箇所は適宜変更可）。
【０１５９】
一方、前扉ベース部材９１０においては、前扉カバー部９７０が取り付けられる側の面（前扉カバー部９７０が取り付けられた際に、前扉カバー部９７０の裏面と接触あるいは対向する面で、ベース部側嵌合部が形成された部分を含む）にメッキ処理が行われる。具体的には、例えば、前扉ベース枠９１１の前面および外側面にメッキ処理を行う（メッキ処理を行う箇所は適宜変更可）。このようなメッキ処理を行うことにより、前扉カバー部９７０の複数のカバー部側嵌合部と、前扉ベース部材９１０の複数のベース部側嵌合部とをそれぞれ嵌合させることにより、前扉カバー部９７０が扉ベース部材９１０に取り付けられるとともに、前扉カバー部９７０が扉ベース部材９１０に電気的に接続される。そのため、前扉カバー部９７０で発生した静電気を、前扉ベース部材９１０およびアース線等を介してスロットマシン１の外部に逃がすことができ、これにより、静電気によって電子部品に不具合等が生じることを防止できる。また、前扉カバー部９７０の表面にはメッキ処理を行わないので、前扉カバー部９７０の製造工程における歩留まり率が低下することを防止することができる。これにより、前扉２の製造コストを抑制することができる。
【０１６０】
なお、本実施形態では、前扉上部カバー枠７１、サイドランプ装飾部材１６Ｌ，１６Ｒ、操作卓パネル２１および下パネルカバー３１の全てを、カバー部（前扉カバー部９７０）に含める、すなわち前扉カバー部９７０の構成要素（構成部材）としているが、これに限定されるものではない。例えば、前扉上部カバー枠７１と下パネルカバー３１だけを前扉カバー部９７０の構成要素としたり、前扉上部カバー枠７１とサイドランプ装飾部材１６Ｌ，１６Ｒと操作卓パネル２１だけを前扉カバー部９７０の構成要素としたり、前扉上部カバー枠７１とサイドランプ装飾部材１６Ｌ，１６Ｒと下パネルカバー３１だけを前扉カバー部９７０の構成要素としたりすることも可能である。また、本実施形態では、前扉
上部カバー枠７１、サイドランプ装飾部材１６Ｌ，１６Ｒ、操作卓パネル２１および下パネルカバー３１が、別個独立に成型されているが、これに限定されるものではない。例えば、前扉上部カバー枠７１、サイドランプ装飾部材１６Ｌ，１６Ｒ、操作卓パネル２１および下パネルカバー３１の全てを一体に成型したり、前扉上部カバー枠７１と操作卓パネル２１と下パネルカバー３１だけを一体に成型したり、前扉上部カバー枠７１と下パネルカバー３１だけを一体に成型したりすることも可能である。その場合、一体に成型された部材のみを前扉カバー部９７０に含め、別に成型された部材は前扉カバー部９７０に含めないようにしてもよい。
【０１６１】
上記説明では、操作卓パネル２１を前扉カバー部９７０に含めているが、操作卓パネル２１を操作スイッチアッセンブリ９５０の構成部材とし、前扉カバー部９７０には含めないようにしてもよい。この場合、操作卓パネル２１の裏面にはメッキ処理を行うが、前扉カバー部９７０の裏面にはメッキ処理を行わないようにしてもよい。また、前扉ベース部材９１０においては、操作スイッチアッセンブリ９５０が取り付けられる側の面（操作スイッチアッセンブリ９５０が取り付けられた際に、操作卓パネル２１の裏面と接触あるいは対向する面で、ベース部側嵌合部が形成された部分を含む）に限定してメッキ処理を行うようにしてもよい。具体的には、例えば、前扉ベース枠９１１の操作卓ベース部９１９の両側の部分や操作卓ベース部９１９の表面あるいは裏面にメッキ処理を行う（メッキ処理を行う箇所は適宜変更可）。
【０１６２】
このようなメッキ処理を行うことにより、前扉カバー部９７０の複数のカバー部側嵌合部と、前扉ベース部材９１０の複数のベース部側嵌合部とをそれぞれ嵌合させ、操作スイッチアッセンブリ９５０を前扉ベース部材９１０に取り付けることにより、前扉カバー部９７０が扉ベース部材９１０に取り付けられるとともに、操作スイッチアッセンブリ９５０が扉ベース部材９１０に電気的に接続される。そのため、操作スイッチアッセンブリ９５０で発生した静電気を、前扉ベース部材９１０およびアース線等を介してスロットマシン１の外部に逃がすことができる。また、前扉カバー部９７０の表面にはメッキ処理を行わないので、前扉カバー部９７０の製造工程における歩留まり率が低下することを防止することができる。これにより、前扉２の製造コストを抑制することができる。なお、前扉上部カバー枠７１の下端部と、下パネルカバー３１の上端部には、操作スイッチアッセンブリ９５０を扉ベース部材９１０に取り付ける際に、操作スイッチアッセンブリ９５０と接触する接触部位（図示せず）を有している。この接触部位は、カバー部側操作スイッチ取付け部として機能する。
【０１６３】
上述の実施形態に基づいて、遊技機内部に収容されるリールユニットを有し、前記リールユニットは、外周面に複数の図柄を有するリールと、前記リールを回転可能に保持するリール保持部材（例えば、実施形態におけるリールブラケット１５１）と、前記リールを保持した前記リール保持部材を複数並べて収容可能なリール収容部材（例えば、実施形態におけるリールケース２０１）と、を備え、各々の前記リール保持部材の前下部に、前記リール保持部材に保持された前記リールの下部前方を覆うガード部材（例えば、実施形態におけるリールガード１４１）が着脱可能に取り付けられる構成の遊技機が得られる。従来、前扉を開放して遊技機のメンテナンスを行う際、例えば、遊技メダルを補充する際に、遊技メダルを入れたジョッキがリールに当接して、リールが破損する可能性があった。本構成の遊技機によれば、リールの破損を防止することができる。
【０１６４】
上述の実施形態に基づいて、入射面および出射面を有する導光部材（例えば、実施形態における第１導光レンズ３５０および第２導光レンズ３６０）と、前記入射面と対向するように並んで配置された複数の光源（例えば、実施形態におけるＬＥＤ３２２ａ〜３２２ｆ，３２３ａ〜３２３ｆ）とを有し、前記複数の光源からの各光を前記入射面から前記導光部材の内部に取り込み、取り込んだ光を前記導光部材により前記出射面に導いて発光さ
せる発光装置（例えば、実施形態における上部スピーカーランプ装置３００Ｌ，３００Ｒ）を備える遊技機であって、前記導光部材は、前記入射面から前記出射面側に延びる所定の長さの溝部（例えば、実施形態における区画溝３６３ａ〜３６３ｅ，３６３ａ〜３６３ｅ）を、隣り合う前記光源同士の間の位置に有する構成の遊技機が得られる。従来、入射面から導光部材内に取り込まれた各光源からの光が出射面において混じり合い、出射面における発光演出を良好に行うことができない可能性があった。本構成の遊技機によれば、導光部材の出射面において各光源からの光が混じり合うことを抑制することができる。
【０１６５】
上述の実施形態に基づいて、開閉可能な前扉と、遊技機内部に収容された複数のリールとを有する遊技機であって、前記前扉は、前記リールの前部を視認可能に形成された開口領域（例えば、実施形態におけるリール窓Ｗ）と、前記開口領域の上側に設けられた演出表示領域（例えば、実施形態における表示領域１１）とを有し、前記前扉の後面側に、前記演出表示領域において所定の演出を実行するための複数の演出ユニットを組み合わせて収容可能な演出ユニット収容部（例えば、実施形態における第１収容部４１２）が設けられ、前記演出ユニット収容部に、組合せが異なる別の演出ユニットを収容可能な構成の遊技機が得られる。従来、リール窓の上側に設けられた演出表示領域において実行される演出内容を大きく変更することは困難であった。本構成の遊技機によれば、演出表示領域において実行される演出内容を大きく変更することができる。
【０１６６】
上述の実施形態に基づいて、主制御基板とリールユニットとを備え、前記リールユニットは、外周面に複数の図柄を有するリールと、前記図柄の後方に設けられる発光部（例えば、実施形態におけるＬＥＤランプ）と、前記発光部を制御する発光部制御基板（例えば、実施形態におけるバックランプ基板１３２）と、前記リールを回転させるための駆動モータ（例えば、実施形態におけるリールモータ１２１）と、前記駆動モータが固定される固定部材（例えば、実施形態におけるリールブラケット１５１）と前記リールおよび前記固定部材を収容する収容部材（例えば、実施形態におけるリールケース２０１）と、を有して構成され、前記収容部材の上面部または下面部には、前記駆動モータを制御する信号を前記駆動モータに伝達する機能の少なくとも一部を構成し、第１の主コネクタ（例えば、実施形態におけるケース側リール中継コネクタ２５２）が実装される第１基板（例えば、実施形態におけるリール中継基板２５１）が設けられ、前記収容部材の後面部には、前記発光部を制御する信号を前記発光部に伝達する機能の少なくとも一部を構成し、第２の主コネクタ（例えば、実施形態におけるケース側ランプ中継コネクタ２６２）が実装される第２基板（例えば、実施形態におけるランプ中継基板２６１）が設けられ、前記固定部材には、前記第１の主コネクタと嵌合可能な第１の副コネクタ（例えば、実施形態におけるブラケット側リール中継コネクタ１９１）と、前記第２の主コネクタと嵌合可能な第２の副コネクタ（例えば、実施形態におけるブラケット側ランプ中継コネクタ１９６）とが設けられ、前記固定部材が前記収容部材内の所定位置に収容されると、前記第１の主コネクタと前記第１の副コネクタとが嵌合して前記駆動モータと前記第１基板とが電気的に接続されるとともに、前記第２の主コネクタと前記第２の副コネクタとが嵌合して前記発光部と前記第２基板とが電気的に接続される構成の遊技機が得られる。従来のリールユニットでは、リールモータを制御する信号をリールモータに中継するリール中継基板と、リールのバックランプを制御する信号をバックランプに中継するランプ中継基板が、リールユニットの上面部に設置され、リールモータとリール中継基板との電気的接続、およびバックランプとランプ中継基板との電気的接続が電気ケーブル（ワイヤハーネス）を介して行われるため、リールユニットの組立てが困難であった。また、リールブラケットをリールケースに取り付ける際、リールブラケット側のコネクタと中継基板側（リールケース側のコネクタ）とが嵌合して電気的に接続されることにより、リールモータとリール中継基板との電気的接続およびバックランプとランプ中継基板との電気的接続が行われるようにする場合、リール中継基板とランプ中継基板をリールユニットの上面部に配置すると、２つの中継基板を重ねて配置する必要が生じ、リールユニットが大型化してしまう。本構成の
遊技機によれば、リールユニットを大型化することなく、簡単な作業でリールユニットを組み立てることができる。
【０１６７】
上述の実施形態に基づいて、開閉可能な前扉を有し、前記前扉は、少なくともベース部（例えば、実施形態における前扉ベース部材９１０）とカバー部（例えば、実施形態における前扉カバー部９７０）とを有して構成され、前記ベース部は、少なくとも、複数の主嵌合部と、スピーカーが取り付けられるスピーカー取付け部と、前記ベース部の後方に配置される図柄変動装置（例えば、実施形態におけるリールユニット１００）の図柄変動を視認できる開口部と、を有する樹脂部品であり、前記カバー部は、少なくとも、複数の副嵌合部と、スピーカーから出力された音を通す開口部と、電子部品が取り付けられる電子部品取付け部と、を有する樹脂部品であり、前記カバー部は所定の色で成型された後に、前記カバー部の表面にはメッキ処理が行われず、前記カバー部の裏面と、前記ベース部の少なくとも前記カバー部が取り付けられる側の面にはメッキ処理が行われており、前記ベース部の前記複数の主嵌合部と前記カバー部の前記複数の副嵌合部とをそれぞれ嵌合させることにより、前記カバー部が前記ベース部に取り付けられるとともに、前記ベース部と前記カバー部との電気的接続が行われる構成の遊技機が得られる。従来、静電気対策として前扉にメッキ処理を行うと、前扉の製造コストが大きく上昇する可能性がある。本構成の遊技機によれば、静電気対策としてのメッキ処理を前扉に行いつつ前扉の製造コストを抑制することができる。
【０１６８】
上述の実施形態に基づいて、開閉可能な前扉を有し、前記前扉は、少なくともベース部（例えば、実施形態における前扉ベース部材９１０）とカバー部（例えば、実施形態における前扉カバー部９７０）とを有して構成され、前記ベース部は、少なくとも、複数の主嵌合部と、操作スイッチ固定部材（例えば、実施形態における操作スイッチアッセンブリ９５０）を取り付けるのに必要なベース部側操作スイッチ取付け部と、スピーカーが取り付けられるスピーカー取付け部と、前記ベース部の後方に配置される図柄変動装置の図柄変動を視認できる開口部と、を有する樹脂部品であり、前記カバー部は、少なくとも、複数の副嵌合部と、前記操作スイッチ固定部材を取り付けるのに必要なカバー部側操作スイッチ取付け部と、スピーカーから出力された音を通す開口部と、を有する樹脂部品であり、前記カバー部は所定の色で成型された後に、前記カバー部の表面にはメッキ処理が行われず、前記操作スイッチ固定部材と、前記ベース部の少なくとも前記操作スイッチ固定部材が取り付けられる側の面にはメッキ処理が行われており、前記ベース部の前記複数の主嵌合部と前記カバー部の前記複数の副嵌合部とをそれぞれ嵌合させ、前記操作スイッチ固定部材を前記ベース部に取り付けることにより、前記カバー部が前記ベース部に取り付けられるとともに、前記操作スイッチ固定部材と前記ベース部との電気的接続が行われる構成の遊技機が得られる。本構成の遊技機においても、静電気対策としてのメッキ処理を前扉に行いつつ前扉の製造コストを抑制することができる。
【０１６９】
上述の実施形態では、液晶パネル等を有する画像表示装置を備えていないが、これに限定されるものではなく、画像表示装置を備えるようにしてもよい。上述の実施形態では、４個のリールを備えているが、これに限定されるものではなく、３個のリールあるいは５個以上のリールを備えるようにしてもよい。
【０１７０】
上述の実施形態においては、遊技機の一例として、遊技メダルを使用するスロットマシン（回胴式遊技機）１を例示して説明したが、これに限定されるものではなく、例えば、遊技球を使用する回胴式遊技機や、遊技メダルを用いずに遊技可能な封入式の回胴式遊技機、雀球遊技機、アレンジボール機、パチンコ機、カジノマシンなどについても同様に適用し、同様の効果を得ることが可能である。
【符号の説明】
【０１７１】
１  スロットマシン（遊技機）
２  前扉
５  筐体
７０  前扉上部装飾ユニット
７１  前扉上部カバー枠
１００  リールユニット
１０１ａ〜１０１ｄ  第１〜第４リールモジュール
１０２ａ〜１０２ｄ  リール
１２１  リールモータ
１４１  リールガード
１５１  リールブラケット
１５６  リールガード取付部
１９１  ブラケット側リール中継コネクタ
１９６  ブラケット側ランプ中継コネクタ
２０１  リールケース
２５１  リール中継基板
２５２  ケース側リール中継コネクタ
２６１  ランプ中継基板
２６２  ケース側ランプ中継コネクタ
３００Ｌ，３００Ｒ  上部スピーカーランプ装置
３１０  スピーカーランプベース部材
３２０  スピーカーランプ基板
３２３ａ〜３２３ｆ, ３２２ａ〜３２２ｆ  ＬＥＤ
３３０  スピーカーユニット
３４０  スピーカーフード
３５０  第１導光レンズ
３６０  第２導光レンズ
３５１，３６１  入射面
３５２，３６２  出射面
３５３ａ〜３５３ｅ,３６３ａ〜３６３ｅ  区画溝
３７０  導光レンズ保持カバー
３８０  前カバー部材
４００  発光演出装置
４１０  ベース枠
４１２  第１収容部
４１３  第２収容部
４１５  リール照明用開口
４２０  拡散パネル
４３０Ａ〜４３０Ｄ  第１〜第４の発光演出基板
４３１，４３２  ＬＥＤ
４４０Ａ〜４４０Ｄ  第１〜第４の発光演出ブロック
４５０  装飾シート
４６０  前面パネル
４７０  前上枠
４８０Ａ〜４８０Ｄ  第１〜第４の発光演出ユニット
５００  主制御装置
６００  副制御装置
７００  上ランプ装置
７１０  上ランプベース部材
７２０  上ランプ基板
７３０  上ランプ後レンズ
７４０  上ランプ装飾シート
７５０  上ランプ前レンズ
８００Ｌ，８００Ｒ  上サイドランプ装置
８２０  上サイドランプ基板
８３０  上サイドランプ後レンズ
８４０  上サイドランプ中レンズ
８５０  上サイドランプ装飾シート
８６０  上サイドランプ前レンズ
【図１】
2020081384.tif 000003
【図２】
2020081384.tif 000004
【図３】
2020081384.tif 000005
【図４】
2020081384.tif 000006
【図５】
2020081384.tif 000007
【図６】
2020081384.tif 000008
【図７】
2020081384.tif 000009
【図８】
2020081384.tif 000010
【図９】
2020081384.tif 000011
【図１０】
2020081384.tif 000012
【図１１】
2020081384.tif 000013
【図１２】
2020081384.tif 000014
【図１３】
2020081384.tif 000015
【図１４】
2020081384.tif 000016
【図１５】
2020081384.tif 000017
【図１６】
2020081384.tif 000018
【図１７】
2020081384.tif 000019
【図１８】
2020081384.tif 000020
【図１９】
2020081384.tif 000021
【図２０】
2020081384.tif 000022
【図２１】
2020081384.tif 000023
【図２２】
2020081384.tif 000024
【図２３】
2020081384.tif 000025
【図２４】
2020081384.tif 000026
【図２５】
2020081384.tif 000027
【図２６】
2020081384.tif 000028
【図２７】
2020081384.tif 000029
【図２８】
2020081384.tif 000030
【図２９】
2020081384.tif 000031
【図３０】
2020081384.tif 000032
【図３１】
2020081384.tif 000033
【図３２】
2020081384.tif 000034
【図３３】
2020081384.tif 000035
【図３４】
2020081384.tif 000036
【図３５】
2020081384.tif 000037
【図３６】
2020081384.tif 000038
【図３７】
2020081384.tif 000039
【図３８】
2020081384.tif 000040
【図３９】
2020081384.tif 000041
【図４０】
2020081384.tif 000042
【図４１】
2020081384.tif 000043
【図４２】
2020081384.tif 000044
【図４３】
2020081384.tif 000045
【図４４】
2020081384.tif 000046
【図４５】
2020081384.tif 000047
【図４６】
2020081384.tif 000048
【図４７】
2020081384.tif 000049
【図４８】
2020081384.tif 000050
【図４９】
2020081384.tif 000051
【図５０】
2020081384.tif 000052
【図５１】
2020081384.tif 000053
【図５２】
2020081384.tif 000054
【図５３】
2020081384.tif 000055
【図５４】
2020081384.tif 000056